(57)【要約】  特に医学的エアゾール（噴霧）療法用の流体のアトマイザが提案される。使用時における作動の単純化及び安全性の向上を可能にするため、アトマイザは、アトマイザの作動回数及び挿入されている容器の個数を計数するカウンタ装置を有し、アトマイザは、アトマイザの或る特定の作動回数、及び（又は）、挿入されている容器の或る特定の個数に達し、又は、これを超えた場合、それ以上の作動ができず、しかも、（或いは）、現在の容器の取り出し、又は、新品の容器の挿入ができないようロックされる。
2009505703.tif 000002
【特許請求の範囲】
【請求項１】
流体（２）のアトマイザ（１）であって、
前記流体（２）が入っている、好ましくは、挿入可能であり、より好ましくは、交換可能な容器（３）と、
前記アトマイザ（１）の作動、及び（又は）、挿入されている前記容器（３）の個数を計数するカウンタ装置（２３）と、
好ましくは、前記容器（３）を挿入すると共に、（或いは）、交換するために前記アトマイザ（１）に取り付け可能であり、又は、これから取り外し可能なハウジング部品（１８）とを有するアトマイザにおいて、
前記アトマイザ（１）の作動を計数する前記カウンタ装置（２３）、又は、少なくとも前記カウンタ装置の第１のカウンタ（３１）は、特に、前記ハウジング部品（１８）上に配置されていて、前記カウンタ装置は、前記アトマイザ（１）が、前記アトマイザ（１）の或る特定の作動回数に達し、又は、これを超えた場合、それ以上の作動ができず、しかも、（或いは）、現在の容器（３）の取り出し、又は、新品の容器（３）の挿入ができないようにロックされるような仕方で設計されており（第１のロック状態）、且つ（或いは）、
前記カウンタ装置（２３）は、前記アトマイザ（１）が、挿入された容器（３）の或る特定の個数及び更に該当する場合には現在の容器（３）の入った前記アトマイザ（１）の或る特定の作動回数に達し、又は、これを超えた場合、それ以上の作動ができず、しかも、（或いは）、現在の容器（３）の取り出し、又は、新品の容器（３）の挿入ができないようにロックされるよう設計されている（第２のロック状態）、
ことを特徴とするアトマイザ。
【請求項２】
前記第１のロック状態、又は、前記第２のロック状態では、流体（２）の運搬、及び（又は）、噴霧をトリガするよう作動されなければならない前記アトマイザ（１）のロック要素（８）、特にキーがロックされることを特徴とする、請求項１記載のアトマイザ。
【請求項３】
前記アトマイザは、加圧器（５）、及び（又は）、駆動ばね（７）を有し、前記第１のロック状態、又は、前記第２のロック状態における前記加圧器（５）、又は、前記駆動ばね（７）の引っ張り操作がロックされることを特徴とする、請求項１又は２記載のアトマイザ。
【請求項４】
流体抜き出し、流体運搬、流体加圧、及び（又は）、流体噴霧のために前記ハウジング部品（１８）を一回転方向に回転させることができ、前記ハウジング部品（１８）は、前記第１のロック状態、又は、前記第２のロック状態では、前記回転方向に回転しないようロックされることを特徴とする、請求項１から３のうちいずれか１項に記載のアトマイザ。
【請求項５】
前記ハウジング部品（１８）を取り外して前記容器（３）を交換することにより前記第１のロック状態をリセットできることを特徴とする、請求項１から４のうちいずれか１項に記載のアトマイザ。
【請求項６】
前記ハウジング部品（１８）は、前記第１のロック状態、又は、前記第２のロック状態では、前記アトマイザ（１）からもはや取り外せないことを特徴とする、請求項１から５のうちいずれか１項に記載のアトマイザ。
【請求項７】
前記容器（３）は、流体抜き出し、流体運搬、流体加圧、及び（又は）、流体噴霧中、好ましくは、軸方向運動を行い、且つ（或いは）、行程様運動を行い、特に、前記カウンタ装置（２３）は、前記容器（３）の運動、又は、その端位置のうちの１つを記録し、これを前記アトマイザ（１）の作動回数として計数することを特徴とする、請求項１から６のうちいずれか１項に記載のアトマイザ。
【請求項８】
特に、請求項１から７のうちいずれか１項に記載の流体（２）のアトマイザ（１）であって、
前記流体（２）が入っている、好ましくは、挿入可能であり、より好ましくは交換可能な容器（３）と、
前記アトマイザ（１）の作動、及び（又は）、挿入されている前記容器（３）の個数を計数するカウンタ装置（２３）と、
好ましくは、前記容器（３）を挿入すると共に、（或いは）、交換するために前記アトマイザ（１）に取り付け可能であり又はこれから取り外し可能なハウジング部品（１８）とを有し、
前記容器（３）が、流体の抜き出し、流体運搬、流体加圧、及び（又は）、流体噴霧中、好ましくは、軸方向、且つ（或いは）、行程様運動を行う、アトマイザにおいて、
前記容器（３）は、前記カウンタ装置（２３）の作動要素（３３）を備え、前記カウンタ装置（２３）が、前記容器（３）の運動又は位置を記録し、これを前記アトマイザ（１）の作動回数として計数するようになっている、
ことを特徴とするアトマイザ。
【請求項９】
前記作動要素（３３）は、アダプタ（３０）を介して回転可能に、間接的に、又は、直接的に、好ましくは、取り外すことができない仕方で前記容器（３）に取り付けられていることを特徴とする、請求項８記載のアトマイザ。
【請求項１０】
前記作動要素（３３）は、好ましくは、アーム状区分を有し、前記アーム状区分は、前記容器（３）の運動方向に、又は、これに斜めに延びて前記カウンタ装置（２３）の少なくとも１つの計数リング（３４）と間接的に、又は、直接的に相互作用し、前記容器（３）が動くと、前記計数リング（３４）が一刻み分、又は、一カウンタステップだけ回転するようになっていることを特徴とする、請求項８又は９記載のアトマイザ。
【請求項１１】
前記アトマイザ（１）は、前記アトマイザ（１）の或る特定の作動回数、及び（又は）、挿入された容器（３）の個数に達し、又は、これを超えた場合、それ以上の作動ができず、しかも、（或いは）、現在の容器（３）の取り出し、又は、新品の容器（３）の挿入ができないようにロックされることを特徴とする、請求項８から１０のうちいずれか１項に記載のアトマイザ。
【請求項１２】
前記カウンタ装置（２３）は、前記容器（３）の端位置、好ましくは、引っ張り操作された前記アトマイザ（１）の到達、若しくは、通過、又は、前記アトマイザ（１）、又は、駆動ばね（７）を引っ張り操作し、又は、解除したときの前記容器（３）の運動を記録し、これを前記アトマイザ（１）の作動回数として計数することを特徴とする、請求項７から１１のうちいずれか１項に記載のアトマイザ。
【請求項１３】
前記カウンタ装置（２３）は、前記容器（３）の前記運動を機械的に、光学的に、電気的に、誘導的に、容量的に、且つ、（或いは）、別の無接触方式で記録することを特徴とする、請求項７から１２のうちいずれか１項に記載のアトマイザ。
【請求項１４】
前記カウンタ装置（２３）、及び、特に前記アトマイザ（１）は、作動が純粋に機械式であることを特徴とする、請求項１から１３のうちいずれか１項に記載のアトマイザ。
【請求項１５】
前記カウンタ装置（２３）は、前記容器（３）からの流体（２）の各々の抜き出し、駆動ばね（７）、又は、前記アトマイザ（１）の加圧器（５）の各々の引っ張り操作、又は、各々の噴霧を記録し、これを前記アトマイザ（１）の作動回数として計数することを特徴とする、請求項１から１４のうちいずれか１項に記載のアトマイザ。
【請求項１６】
前記カウンタ装置（２３）は、前記アトマイザ（１）により、特に現在の容器（３）に関して実行され、又は、依然として、実行できる作動を計数し、好ましくは、これを表示する、請求項１から１５のうちいずれか１項に記載のアトマイザ。
【請求項１７】
前記容器（３）を交換したとき、前記カウンタの値を手動で、又は、自動的にリセットでき、前記リセットは、前記アトマイザ（１）の組み立て状態ではロックされることを特徴とする、請求項１６記載のアトマイザ。
【請求項１８】
前記カウンタ装置（２３）は、２つ以上の容器（３）が用いられた場合、実行され、又は、依然として、実行可能な前記アトマイザ（１）の全作動を計数して、好ましくは、これを表示することを特徴とする、請求項１から１６のうちいずれか１項に記載のアトマイザ。
【請求項１９】
前記カウンタ装置（２３）は、好ましくは、前記アトマイザ（１）により既に実行され、若しくは、依然として、実行可能な作動回数、及び（又は）、挿入され、若しくは、依然として、挿入可能な容器（３）の個数を表示するための光学式、及び（又は）、音響式表示装置（４０）を有することを特徴とする、請求項１から１８のうちいずれか１項に記載のアトマイザ。
【請求項２０】
前記ハウジング部品（１８）は、前記アトマイザ（１）を引っ張り操作すると共に、（或いは）、流体（２）を運搬するために一回転方向に回転可能であることを特徴とする、請求項１から１９のうちいずれか１項に記載のアトマイザ。
【請求項２１】
前記ハウジング部品（１８）を前記回転方向に回転させると、前記容器（３）を前記ハウジング部品内に動かすことができることを特徴とする、請求項２０記載のアトマイザ。
【請求項２２】
前記ハウジング部品（１８）、及び、好ましくは、前記容器（３）を前記アトマイザ（１）から軸方向に取り外すために、前記ハウジング部品（１８）は、特に前記アトマイザ（１）を引っ張り操作した場合にのみ、前記回転方向とは逆の解除方向に回転可能であることを特徴とする、請求項２０又は２１記載のアトマイザ。
【請求項２３】
前記ハウジング部品（１８）、及び（又は）、前記アトマイザ（１）は、前記ハウジング部品（１８）を前記解除方向に回転させると、前記ハウジング部品（１８）、及び、好ましくは、前記容器（３）を前記アトマイザ（１）から軸方向に解除できるよう前記回転軸線に対して傾斜した滑り面（５２，５３）を有することを特徴とする、請求項２２記載のアトマイザ。
【請求項２４】
前記アトマイザ（１）は、駆動ばね（７）を備えた加圧器（５）を有し、特に、流体（２）の噴霧は、前記駆動ばね（７）の力によってのみ起こることを特徴とする、請求項１から２３のうちいずれか１項に記載のアトマイザ。
【請求項２５】
前記駆動ばね（７）は、前記ハウジング部品（１８）内に配置されていることを特徴とする、請求項２４記載のアトマイザ。
【請求項２６】
前記ハウジング部品（１８）は、特に前記駆動ばね（７）を引っ張り操作したときに、少なくともロック解除を阻止することにより、前記駆動ばね（７）を解除した場合にしか、前記アトマイザ（１）から取り外せないことを特徴とする、請求項２５記載のアトマイザ。
【請求項２７】
前記カウンタ装置（２３）は、前記駆動ばね（７）を放射状に包囲していることを特徴とする、請求項２４から２６のうちいずれか１項に記載のアトマイザ。
【請求項２８】
前記カウンタ装置（２３）は、前記アトマイザ（１）の作動を計数する第１のカウンタ（３１）、及び、挿入された容器（３）の個数を計数する第２のカウンタ（３２）を有することを特徴とする、請求項１から２７のうちいずれか１項に記載のアトマイザ。
【請求項２９】
前記第１のカウンタ（３１）と、前記第２のカウンタ（３２）は、特に前記容器（３）の交換中又は前記容器（３）の交換の目的で互いに分離できることを特徴とする、請求項２８記載のアトマイザ。
【請求項３０】
前記第１のカウンタ（３１）は、特に前記容器（３）を交換する際に交換可能であることを特徴とする、請求項２９又は３０記載のアトマイザ。
【請求項３１】
前記カウンタ装置（２３）、又は、前記第１のカウンタ（３１）は、前記ハウジング部品（１８）に取り外すことができない仕方で連結され、特に、前記ハウジング部品（１８）の軸方向又は前側端領域内に配置され、又は、前記容器（３）を円形に包囲していることを特徴とする、請求項２８から３０のうちいずれか１項に記載のアトマイザ。
【請求項３２】
前記容器（３）の交換のため、前記容器（３）、及び、前記カウンタ装置（２３）、又は、前記第１のカウンタ（３１）と共に、前記ハウジング部品（１８）のみ交換可能であることを特徴とする、請求項２８から３１のうちいずれか１項に記載のアトマイザ。
【請求項３３】
前記第２のカウンタ（３２）は、前記アトマイザ（１）、特に前記アトマイザ（１）のハウジング上側部品（１６）、又は、好ましくは、回転可能な内側部品（１７）に取り外せない仕方で連結され、又は、これに組み込まれていることを特徴とする、請求項２８から３２のうちいずれか１項に記載のアトマイザ。
【請求項３４】
前記アトマイザ（１）は、特に前記アトマイザ（１）を引っ張り操作するための可動部品、又は、回転可能な部品、特に内側部品（１７）を有することを特徴とする、請求項１から３３のうちいずれか１項に記載のアトマイザ。
【請求項３５】
前記カウンタ装置（２３）、又は、前記カウンタ装置（２３）の第２のカウンタ（３２）は、前記内側部品上に配置されていることを特徴とする、請求項３４記載のアトマイザ。
【請求項３６】
前記カウンタ装置（２３）、又は、前記カウンタ装置（２３）の第２のカウンタ（３２）は、ライダ（４９）を備えた、ねじ山付きスピンドル（４８）を有し、特に、前記ねじ山付きスピンドル（４９）は、前記アトマイザ（１）に対する内側部品（１７）の回転によって回転可能であることを特徴とする、請求項１から３５のうちいずれか１項に記載のアトマイザ。
【請求項３７】
前記ライダ（４９）は、制止要素（５０）を前記第１のロック状態、又は、前記第２のロック状態で作動させて、前記アトマイザ（１）に対する前記内側部品の回転を制止するようになっていることを特徴とする、請求項３４又は３６記載のアトマイザ。
【請求項３８】
前記アトマイザ（１）は、好ましくは、前記アトマイザ（１）のロック要素（８）をロックするロック装置（７８）を有し、前記ロック装置は、流体（２）の運搬、及び（又は）、噴霧をトリガするためには、前記ロック装置を前記第１のロック状態、及び（又は）、前記第２のロック状態で作動させなければならないことを特徴とする、請求項１から３７のうちいずれか１項に記載のアトマイザ。
【請求項３９】
前記ロック装置（７８）は、前記内側部品上に配置されていることを特徴とする、請求項３４又は３８記載のアトマイザ。
【請求項４０】
前記第１のロック状態、及び（又は）、前記第２のロック状態では、前記アトマイザ（１）に対する前記内側部品の回転、及び（又は）、前記ロック要素（８）の作動は、制止されることを特徴とする、請求項３４又は３８記載のアトマイザ。
【請求項４１】
前記ロック装置（７８）は、特に前記アトマイザ（１）の長手方向軸線、回転軸線、又は、運動軸線に平行に動くことができるロック部品（４１）を有し、前記ロック部品は、前記ロック状態では、前記アトマイザ（１）、特に前記ロック要素（８）の作動を制止することを特徴とする、請求項３８から４０のうちいずれか１項に記載のアトマイザ。
【請求項４２】
前記ロック部品（４１）は、前記ロック状態では、前記ロック要素（８）と前記アトマイザ（１）のハウジング上側部品（１６）との間に係合することを特徴とする、請求項４１記載のアトマイザ。
【請求項４３】
前記ロック部品（４１）は、クランク始動方式、及び（又は）、強制方式で動かされることを特徴とする、請求項４１又は４２記載のアトマイザ。
【請求項４４】
前記ロック装置（７８）は、制御部品（４５）を有し、前記制御部品は、特に、前記ロック部品（４１）の作動、又は、運動を可能にするために前記アトマイザ（１）の前記長手方向軸線、前記回転軸線、又は、前記運動軸線に対して周方向に移動可能であることを特徴とする、請求項３８又は請求項４１から４３のうちいずれか１項に記載のアトマイザ。
【請求項４５】
前記制御部品（４５）は、前記アトマイザ（１）の制止状態、又は、ロック状態を達成するために、特に前記軸線に平行に前記ライダ（４９）によって作動可能であり、又は、移動可能であることを特徴とする、請求項３６又は４４記載のアトマイザ。
【請求項４６】
前記制御部品（４５）は、前記ロック部品（４１）の作動を可能にするために、前記アトマイザ（１）の作動、特に引っ張り操作中、特に好ましくは、前記軸線に平行な先の変位後のみ、移動可能であり、特に、周方向に変位可能であることを特徴とする、請求項４４又は４５記載のアトマイザ。
【請求項４７】
前記制御部品（４５）は、前記アトマイザ（１）に対する前記内側部品の回転により、前記ロック部品（４１）の作動を可能にするために周方向に変位可能であることを特徴とする、請求項３４又は４６記載のアトマイザ。
【請求項４８】
前記第１のロック状態、及び（又は）、前記第２のロック状態を逆にすることができないことを特徴とする、請求項１から４７のうちいずれか１項に記載のアトマイザ。
【請求項４９】
前記加圧又は噴霧は、特に推進ガスを用いないで、好ましくは、ばねの力によって純粋に機械式に起こることを特徴とする、請求項１から４８のうちいずれか１項に記載のアトマイザ。
【請求項５０】
前記アトマイザ（１）は、特に医学的エアゾール療法のための携帯可能な吸入器として設計されていることを特徴とする、請求項１から４９のうちいずれか１項に記載のアトマイザ。
【発明の詳細な説明】
【技術分野】
【０００１】
本発明は、請求項１の前文、又は、請求項８の前文に記載されたアトマイザに関する。
【背景技術】
【０００２】
国際公開第９１／１４４６８号パンフレットに原理が示され、特に国際公開第９７／１２６８７号パンフレット（図６ａ及び図６ｂ）並びに本願の図面の図１及び図２に示されている吸入器の形態をした“Respimat”という商品名で市販されているアトマイザが知られている。このアトマイザは、噴霧化流体のリザーバとして、流体の入っている内袋を備えた挿入可能な硬質容器を有すると共に、流体を給送して噴霧化するための駆動ばねを備えた加圧器を有している。
【０００３】
本願の開示内容を完全にする目的で、国際公開第９１／１４４６８号パンフレットと国際公開第９７／１２６８７号パンフレットの両方の開示内容全体を参照されたい。一般に、これら特許文献の開示内容は、好ましくは、流体に加わるばね圧力が５ＭＰから２００ＭＰａ、好ましくは、１０ＭＰから１００ＭＰａ、一行程当たりの流体の送出し量が１０μｌ（マイクロリットル）から５０μｌ（マイクロリットル）であり、好ましくは、１０μｌから２０μｌであり、最も好ましくは、約１５μｌであるアトマイザに関する。流体は、エーロゾルの状態に変換され、その液滴は、空力学的直径が最高で２０μｍであり、好ましくは、３μｍから１０μｍである。さらに、これら特許文献の開示内容は、好ましくは、長さが約９ｃｍから約１５ｃｍであり、幅が約２ｃｍから約５ｃｍの円筒形の形をしていて、ノズルジェット広がりが２０°から１６０°であり、好ましくは、８０°から１００°のアトマイザに関する。これらの値は、特に好ましい値として本発明の教示によるアトマイザにも当てはまる。
【０００４】
使用前に、まず最初に、下側ハウジング部品を取り外すことによりアトマイザを開き、密閉容器をアトマイザ内に挿入する。容器をアトマイザ内に収納しているときに、送出管を内側袋まで挿入することにより容器を開く。次に、下側ハウジング部品をプッシュオン（嵌着）して戻す。
【０００５】
アトマイザの下側ハウジング部品を回すことにより、駆動ばねを引っ張り操作でき、流体を加圧器の圧力チャンバ内に吸い込むことができる。引っ張り操作中、容器は、行程運動によりアトマイザ内でハウジング下側部品内へ変位し、引っ張り操作されると、まず最初に、フロアがハウジング下側部品内に設けられた穿刺要素によって穿刺されてエアレーションが行われる。ロック要素の手動作動後、圧力チャンバ内の流体は、駆動ばねによって圧力下に置かれ、推進ガスを用いないで、ノズルを介してエーロゾルとしてマウスピース内に送り込まれる。
【０００６】
空の容器をアトマイザの開放に続き、満杯状態の容器に交換するのが良く、アトマイザは、引き続き使用可能である。
【０００７】
独国特許出願公開第１０２３９４４３号明細書及び対応の米国特許出願公開第２００４／００９４１４７号明細書は、ばね作動式駆動装置を備えたロック引っ張り操作機構体のための制止装置を開示している。制止装置は、特に、国際公開第９７／１２６８７号パンフレットに記載された高圧アトマイザ用に使用されるのが良く、この制止器具を用いると、指定された作動回数後に、アトマイザのそれ以上の使用を制止することができる。というのは、特にばねの形態の制止要素により、アトマイザの２つのハウジング部品の互いに対する回転が、阻止されるからである。
【０００８】
本発明の出発点をなす独国特許第１９５４９０３３号明細書及び対応の米国特許第６，１４９，０５４号明細書は、粉末、液体又はガス物質の投与のための投与器具用の機械式カウンタを開示している。投与ユニットは、特に、薬剤の噴霧のために用いられる。薬剤は、リザーバ内に入れられており、リザーバは、投与器具内に押し込まれる。カウンタは、このカウンタを取り外すことができないように投与ユニット内に配置されている。カウンタは、各々のリザーバからの投与回数、及び、投与ユニットに用いられているリザーバの個数の計数を可能にする。この場合における問題は、カウンタの状態が注目されなければ、例えば、空のリザーバからの空気の吸い込み、又は、許容された数よりも多くのリザーバの使用のような操作ミスが結果として生じる場合があるということにある。
【０００９】
独国特許出願公開第１００６１７２３号明細書は、流体、ペースト又は固形製品の投薬量が決定された状態の放出を計数するカウンタ及びかかる製品の投薬量が決定された放出を行うための器具を開示している。カウンタは、機械的に作動し、このカウンタは、カウンタの長手方向軸線と同軸に配置された２つの計数リングを有している。カウンタは、軸方向に変位可能なスイッチ要素を更に有し、このスイッチ要素は、軸方向変位を計数リングの回転運動に変換するような仕方で静止湾曲面を横切って延びている。カウンタをエアゾール容器上に取り外し可能に又は取り外せない仕方で位置決めすことができる。
【００１０】
本発明の目的は、作動するのが簡単であって使用中における安全性を向上させたアトマイザを提供することにある。
【００１１】
【特許文献１】国際公開第９１／１４４６８号パンフレット
【特許文献２】国際公開第９７／１２６８７号パンフレット
【特許文献３】独国特許出願公開第１０２３９４４３号明細書
【特許文献４】米国特許出願公開第２００４／００９４１４７号明細書
【特許文献５】独国特許第１９５４９０３３号明細書
【特許文献６】米国特許第６，１４９，０５４号明細書
【特許文献７】独国特許出願公開第１００６１７２３号明細書
【発明の開示】
【００１２】
この目的は、請求項１又は請求項８記載のアトマイザによって達成される。好ましい実施形態は、従属形式の請求項の記載内容である。
【００１３】
本発明の第１の特徴は、アトマイザの作動を計数するカウンタ装置、又は、少なくともカウンタ装置の第１のカウンタが、容器を挿入すると共に、（或いは）、交換するために取り外し可能なアトマイザのハウジング部品上に配置され、アトマイザの或る特定の作動回数に達し、又は、これを超えた場合、アトマイザがそれ以上の作動ができず、しかも、（或いは）、現在の容器の取り出し、又は、新品の容器の挿入ができないようにロックされるということにある。これら条件下におけるロックは、以下においては、「第１のロック状態」とも呼ばれている。アトマイザの指定された作動回数に達し、又は、これを超えたときにアトマイザが強制的にロックされることにより、簡単な作動及び使用中における安全性の向上が得られる。その理由は、ユーザは、アトマイザの先に実施された作動回数、又は、残りの作動回数の光学式表示に気付かない場合であっても、操作ミスから保護されるからである。具体的に言えば、特に投薬量決定の正確さを損ねる場合のある望ましくない仕方での空の容器、又は、ほぼ空の容器からの空気の吸い込みを阻止することができる。
【００１４】
アトマイザの「作動」という用語は、本発明では、一般に、アトマイザの流体抜き出し、流体運搬、加圧、噴霧、及び（又は）、引っ張り操作、又は、その使用と関連したアトマイザの任意他の取り扱いを含む。
【００１５】
「ロックする」又は「ロックされる」という用語は、本発明の場合、例えば、アトマイザの作動、即ち引っ張り操作、容器の交換、ハウジング部品の取り外し等を制止し、又は、阻止し、若しくは、無効にするために、特に、ドライブトレイン、作動コンポーネントの作動、若しくは、取り扱い、又は、これらに類似した作動の静止、又は、阻止と、つれ回り、又は、離脱の両方を含む。
【００１６】
容器をハウジング部品、及び、カウンタ装置、又は、少なくとも第１のカウンタと一緒でしかアトマイザに取り付けることができず、アトマイザから取り外すことができず、しかも、（或いは）、交換することができないということが特に好ましい。容器とカウンタ装置又は第１のカウンタとの間の分離できない連結により、容器が入っているアトマイザの作動回数の分かりやすい記録が得られる。特に、この場合、カウンタの値をリセットし又は削除することができず、それにより、例えば、ユーザ又は第三者、例えば、医師による後でのチェックが可能である。
【００１７】
本発明の第２の特徴、これ又独立に達成できる特徴によれば、カウンタ装置は、アトマイザが、使用された容器の或る特定の個数及び必要ならば現在の容器の入ったアトマイザの或る特定の作動回数に達し、又は、これを超えた場合、それ以上の作動ができず、しかも、（或いは）、現在の容器の取り出し、又は、新品の容器の挿入ができないようにロックされるよう設計されている。これら条件下におけるロックは、以下、「第２のロック状態」とも呼ばれている。かかる状態における容器の計数及びロックにより、単純な作動、及び、使用中における安全性の向上が得られる。その理由は、容器の指定された許容個数を超えるアトマイザの使用は、ユーザが既に使用した容器の個数の表示等に注意を払わなければ、阻止されるからである。
【００１８】
特に好ましくは、第１又は第２のロック状態において、流体の運搬、及び（又は）、噴霧をトリガするよう作動されるロック要素、例えば、ボタンをロックする。これにより、直感的な使用が容易になると共に、アトマイザがロックされていることが簡単な仕方でユーザに明らかになる。
【００１９】
代替的に又は追加的に、第１のロック状態、又は、第２のロック状態では、アトマイザの加圧器又は駆動ばねの引っ張り操作をロックしても良い。これによっても、アトマイザがロックされていることが簡単な仕方でユーザに明らかになる。
【００２０】
代替的に又は追加的に、第１のロック状態、又は、第２のロック状態におけるアトマイザのハウジング部品の取り外しをロックしても良い。これにより、ユーザによるロック状態の直感的な識別が可能になる。
【００２１】
本発明の第３の特徴、これ又独立に達成可能な特徴によれば、容器は、カウンタ装置の作動要素を有し、カウンタ装置が、流体の抜き出し、流体の運搬、加圧、及び（又は）、噴霧と関連した容器の運動、又は、位置を検出してこれをアトマイザの作動回数として計数することができるようになる。これにより、アトマイザの作動回数の特に安全な記録が得られ、したがって、安全な計数が得られる。これにより、簡単な作動、及び、使用中における安全性の向上が得られる。というのは、アトマイザが引っ張り操作されていない場合、又は、流体の抜き出しが行われていない場合、操作ミス又は操作の誤り、例えば、作動要素の作動の繰り返しが、検出されず、アトマイザの作動回数として計数されないからである。
【００２２】
本発明の別の利点、特徴、性質及び観点は、添付の図面を参照して行われる好ましい実施形態の以下の説明から明らかになろう。
【発明を実施するための最良の形態】
【００２３】
図において、同一の参照符号は、同一又は類似の部品について用いられ、対応の又は同等な性質及び利点は、たとえ説明を繰り返さないでも達成される。
【００２４】
図１及び図２は、流体２、特に、効能の高い医薬製品等を噴霧化する公知のアトマイザ１を示しており、このアトマイザは、非引っ張り操作状態（図１）及び引っ張り操作（始動又はプライミング）状態（図２）で概略的に示されている。アトマイザは、特に、携帯可能な吸入器として構成され、好ましくは、推進ガス無しに動作する。
【００２５】
流体２、好ましくは液体、特に医薬製品を噴霧化する場合、ユーザ（図示せず）により吸気され、又は、吸入できるエーロゾルが形成される。通常、吸入は、ユーザ（患者）の病態に応じて１日に少なくとも１回、特に１日に数回、好ましくは、設定された間隔で行われる。
【００２６】
公知のアトマイザ１は、流体２を収容した挿入可能な、好ましくは、交換可能な容器３を有する。かくして、この容器は、噴霧化されるべき流体２のリザーバを形成している。好ましくは、容器３は、最高２００回の投与分をもたらし、即ち、最高２００回の噴霧又は塗布を可能にするのに十分な量の流体２又は有効物質を収容している。国際公開大９６／０６０１１号パンフレットに開示されているような典型的な容器３は、約２ｍｌ（ミリリットル）から１０ｍｌ（ミリリットル）の量を収容する。
【００２７】
容器３は、実質的に円筒形又はカートリッジの形状をしており、アトマイザ１をいったん開けると、容器をアトマイザ内に下から挿入でき、所望ならば交換することができる。この容器は、好ましくは、剛性設計のものであり、特に、流体２は、容器３内の折り畳み可能な袋４内に保持される。
【００２８】
アトマイザ１は、流体２を特にあらかじめ設定され、任意に調節可能な投与量の状態で運搬して噴霧化する加圧器５を更に有している。加圧器５は、特に、容器３のホルダ６と、ロック解除のための手動操作式ロック要素８を備えた駆動ばね７（一部しか示さず）と、逆止弁１０を備えた送出管９と、圧力チャンバ１１と、マウスピース１３の付近に設けられた放出ノズル１２とを有している。容器３は、ホルダ６によりアトマイザ１内に固定されていて、送出管９が、容器３内に入り込むようになっている。ホルダ６は、容器３を交換することができるよう構成されたものであるのが良い。
【００２９】
駆動ばね７を軸方向に引っ張ると（引っ張り操作行程）、ホルダ６は、容器３及び運搬管９と共に図面において下方に移動し、流体２は、容器３から吸い出され、逆止弁１０を通って加圧器５の圧力チャンバ１１内に吸い込まれる。
【００３０】
ロック要素８の作動に続く駆動ばね７の次のロック解除（噴霧行程）では、流体２は、今や閉鎖状態にある逆止弁１０を備えた送出管９が駆動ばね７によって再び上方に戻され、今やプランジャとして役立つので、圧力チャンバ１１内で圧力下に置かれる。この圧力により、流体２は、放出ノズル１２中に送り進められ、それにより、流体２は、図１に示すようにエーロゾル１４の状態に噴霧される。レスピマット型（Respimat型）の装置に関する粒子の液滴サイズについては冒頭で既に説明した。
【００３１】
ユーザ（図示せず）は、エーロゾル１４を吸入することができ、その間、少なくとも１つの供給開口部１５を通って供給空気をマウスピース１３内に吸い込むことができる。
【００３２】
アトマイザ１は、上側ハウジング部品１６、及び、この上側ハウジング部品に対して回転可能な内側部品１７を有し（図２）、内側部品は、上側部分１７ａ及び下側部分１７ｂを有し（図１）、特に手動操作可能なハウジング部品１８が、好ましくは、保持要素１９によって取り外し可能に、特にハウジング部品１８を押して嵌めることによって、この内側部品１７に固定されている。容器３を挿入すると共に、（或いは）、交換するために、ハウジング部分１８をアトマイザ１から取り外すことができる。
【００３３】
ハウジング部品１８を上側ハウジング部品１６に対して回転させることができ、これに同伴して、図面では下に位置する内側部品１７の部分１７ｂが回転する。その結果、駆動ばね７は、ホルダ６に作用する歯車（図示せず）によって軸方向に引っ張られる。引っ張り操作中、容器３は、容器３が図２に示すような端位置を占めるまで軸方向下方に動かされる。この状態では、駆動ばね７は、張力下にある。噴霧化プロセスの際、容器３を駆動ばね７によって、その元の位置に戻す。かくして、容器３は、引っ張り操作中、及び、噴霧化プロセス中、持ち上げ運動を行う。
【００３４】
ハウジング部分１８は、好ましくは、キャップ状の下側ハウジング部品を形成し、容器３の下方自由端部周りに又はこの上に嵌まっている。駆動ばね７を引っ張ると、容器３は、その端領域と共にハウジング部品１８内へ、（更に）、動き、又は、その前方端部に向かって動き、ハウジング部品１８内に設けられた軸方向に作用するばね２０が、容器のフロア（底）２１に当接し、曝気のための最初の接触の際に容器３、又は、これのベースに設けられたシールが、穿刺要素２２で穿刺される。
【００３５】
アトマイザ１は、好ましくは、ハウジングの上側部品１６に対するハウジング部品１８、又は、内側部品１７の回転を記録することにより、アトマイザ１の作動を計数するカウンタ装置２３を有している。
【００３６】
以下において、提案されているアトマイザの好ましい実施形態の設計及び使用方法を詳細に説明するが、他の図を参照する場合、図１及び図２のアトマイザ１との本質的な相違のみを強調する。したがって、図１及び図２に関する説明は、それに応じて当てはまり、又は、追加的に適用される。さらに、図１及び図２のアトマイザ１の特徴と、以下に説明するアトマイザ１の特徴の所望の組み合わせ、又は、これら特徴の相互の組み合わせが可能である。
【００３７】
図３から図１７は、本発明の第１の実施形態として提案されたアトマイザ１を示している。図３は、運搬状態にあるアトマイザ１の概略断面図である。アトマイザ１の加圧器５、及び、他の部品を備えたハウジング上側部品１６は、好ましくは、容器３が運搬状態にある場合、ハウジング部品１８から分離状態にある。
【００３８】
図４は、容器３が運搬状態にあるハウジング部品１８の概略断面図であり、容器３を備えたハウジング部品１８の開口部は、組み立て目的で取り外し可能な保護キャップ２４によって覆われている。保護キャップ２４は、容器３を支持し、この容器は、その運搬状態では、その自由端部のところが依然として封止され、容器３は、組み立て時に、ハウジング上側部品１６又は内側部品１７内に導入される。容器３は、この状態では、そのベース側が、穿刺要素２２から軸方向に遠ざけられ、かくして、フロア側で更に封止されている。容器３は、好ましくは、ハウジング部品１８から分離できず、ハウジング部品１８と一緒に交換することしかできない。その理由は、容器３は、アトマイザ１内への最初の挿入後は、一般に、再度取り替え又は交換できるからである。
【００３９】
図５は、アトマイザ１のハウジング上側部品１６を運搬状態で、かくして、ハウジング部品１８が設けられておらず、且つ、容器３が設けられていない状態で示している。
【００４０】
容器３をアトマイザ１のハウジング上側部品１６内に挿入するため、容器３を備えたハウジング部品１８を引っ張り操作状態で、かくして、加圧器５を引っ張り操作した状態で、又は、駆動ばね７を引っ張り操作した状態でハウジング上側部品１６に嵌着させる。図６は、初期スライドオン（slide-on）状態を示している。
【００４１】
オプションとして、特に許可された容器３を備え、又は、容器３内に許可された流体２の入った状態の正しいハウジング部品１８を、又は、許可されたハウジング部品１８のみを、このようにしてハウジング上側部品１６上に位置決めし、又は、これに結合するようコード付けが行われる。図示の例では、オプションとしてのコード付けの場合、第１のコード付け要素２５（図５も参照されたい）が、ハウジング上側部品１６の自由端部のところに配置され、この第１のコード付け要素は、例えば、或る特定の円周方向位置まで半径方向に延びる、或る特定の円周方向幅を備えた半径方向ノーズを形成する。第１のコード付け要素２５は、相補形状の第２のコード付け要素２６、特にハウジング部品１８に設けられた相補形状の軸方向溝と嵌合し、ハウジング部品１８をコード付けが正しい場合にしか図６に示すようにハウジング上側部品１６に取り付けることができず、又は、スライドオンすることができないようになっている。コード付けの「問い合わせ」は、好ましくは、送出管９又は別の運搬要素が容器３を開き、特に、容器３のシールを穿刺する前に行われる。
【００４２】
ハウジング上側部品１６にハウジング部品１８を更に取り付け、又は、スライドオンした状態で、送出管９は、最初にシール２７を穿刺し、次にオプションとしての隔膜１８を図７に示すように突き破り、図７は、ハウジング部品１８が完全に取り付けられた状態のアトマイザ１を概略断面で示している。
【００４３】
取り付け、又は、スライドオンの際、容器３のヘッドをホルダ６で、特にクランプラッチ止めされた仕方で、及び（又は）、取り外し可能な仕方で掴む。ハウジング部品１８がクランプ状態でハウジング上側部品１６上に載り、このクランプ状態では、ハウジング上側部品１６内に行程様に、又は、直線状に動くことができるホルダ６が、図７に示す底位置にあるので、容器３は、ホルダ６に接触するようになり、必要な場合、そのフロアが穿刺要素２２に押し付けられ、それにより穿刺されてエアレーションが行われるようになる。好ましくは、そのようにする際、例えば、ポット、又は、ビーカ上の穿刺要素２２と容器３の連結が行われて、加圧、流体抜き出し、及び（又は）、流体運搬のための容器３（ホルダ６と共に）の次の直線状又は軸方向、若しくは、行程様の運動の際、穿刺要素２２は、容器３又は容器フロア２１と接触状態のままであり、したがって、容器３の直線運動、又は、軸方向運動に追随するようになる。
【００４４】
図８の部分概略断面図は、アトマイザ１について、最初の引っ張り操作時点における容器フロア２１の領域及びハウジング部品１８の自由端部を示している。したがって、容器３は、依然として本質的には、図８に示す、その上方軸方向端位置にある。穿刺要素は、図示の例では、特に、連結要素２９により特に、容器３上に配置されたアダプタ３０によってラッチ止め、又は、クランプ状態で間接的に保持され、したがって、穿刺要素２２は、容器フロア２１と常時接触したままであり、又は、容器フロア２１に設けられた対応関係にあるエアベントを開放状態に保つようになっている。このエアレーションの結果として、容器３内の袋４は、流体が引き抜かれると潰れることができ、この場合、容器３内に真空は発生しない。
【００４５】
アダプタ３０は、好ましくは、プラスチックで作られ、このアダプタは、特に、容器３上に取り外せない仕方で取り付けられ、特に、容器３にクランプ止めされ、接着され、又は、成形、若しくは、注型により、これに取り付けられる。基本的には、アダプタ３０は、容器３と一体であり、又は、容器３それ自体で形成されるのが良い。アダプタ３０は、好ましくは、これ又、更に説明されなければならない以下の機能に適した材料、特にプラスチックで作られる。
【００４６】
カウンタ装置２３は、アトマイザ１の作動回数、及び（又は）、挿入された容器３の個数、好ましくは、これら両方を計数するよう設計されている。具体的に言えば、カウンタ装置２３は、図８に一例として示されているようにアトマイザ１の作動回数を計数する第１のカウンタ３１、及び、図５に一例として示されているように挿入され、又は、使用された容器３の個数を計数する第２のカウンタ３２を有している。
【００４７】
アトマイザ１の作動回数の計数の際に、特に、容器からの流体２の各々の抜き出し、加圧器５、若しくは、駆動ばねの各々の引っ張り操作、又は、各々の噴霧を記録し、アトマイザ１の作動回数として計数する。したがって、特に、流体抜き出し、流体運搬、加圧、及び（又は）、噴霧を記録し、作動回数として計数する。しかしながら、基本的には、アトマイザ１の任意他の作動回数を記録して計数することも可能である。以下において、アトマイザ１の作動回数の計数は、短くして「作動回数計数」とも呼ばれる。
【００４８】
特に好ましくは、作動回数計数は、好ましくは、容器３又はアトマイザ１の任意他の部品、例えば、ホルダ６、若しくは、送出管９の直線、軸方向運動、及び（又は）、行程様運動、又は、位置を記録することにより行われる。作動回数計数のための運動、又は、位置の記録は、特に、少なくとも、一方向における運動、及び（又は）、少なくとも端位置での出発、又は、到着が記録され、アトマイザ１の作動回数として計数されることを意味するものと理解されたい。
【００４９】
提案されたアトマイザ１に関して、最も好ましくは、引っ張り操作行程、噴霧行程又は加圧器５が引っ張り操作状態にあり、又は、駆動ばね７が引っ張り操作状態にある容器３の端位置、かくして、図示の下方端位置の到着又は出発を記録し、アトマイザ１の作動回数として計数する。この結果、種々の利点が得られる。
【００５０】
カウンタ装置２３は、容器３の運動を、好ましくは、機械的な方式で記録する。特に、カウンタ装置２３は、全く純粋に機械的に作動する。しかしながら、基本的には、容器３の運動の光学的、電気的、誘導的、容量的、及び（又は）、他の無接触記録が可能である。
【００５１】
機械式運動記録の場合、引っ張り操作行程、又は、引っ張り操作状態における端位置の到達を記録して計数するのが有利である。機械式記録及びカウンタ装置２３、又は、少なくとも第１のカウンタ３１の駆動に必要な機械的作業は、この場合、引っ張り操作中でのみ行われなければならない。これは、問題なく達成できる。その理由は、引っ張り操作は好ましくは、手動で行われるからである。したがって、噴霧又は引っ張り解除プロセス、かくして駆動ばね７の力による加圧及び噴霧中、計数に用いられる機械的な作業は無く、したがって、ばねのエネルギーは、最適噴霧を達成するためにのみ使用できるようになる。
【００５２】
他方、噴霧行程、又は、端位置の出発が引っ張り操作状態で記録される場合、これは、実際の噴霧プロセスがアトマイザ１の作動回数として計数されるという利点を有している。
【００５３】
以下において、第１の実施形態を用いて、引っ張り操作行程の記録について更に説明する。しかしながら、基本的には、任意他の記録及び計数、特に、更に噴霧行程、又は、端位置の到達、若しくは、出発の記録が可能である。
【００５４】
提案されたアトマイザ１は、ハウジング部品１８をハウジング上側部品１６に対して回転させることにより、図１及び図２に示す実施形態に従って引っ張り操作され、この場合、駆動ばね７は、ホルダ６に作用する歯車（図示せず）を介して軸方向に引っ張り操作され、容器３は、引っ張り操作中、非引っ張り操作状態のその端位置（上方端位置）から引っ張り操作状態のその端位置（下方端位置）にホルダ６及び送出管９と一緒に直線状、又は、行程様でハウジング部品１８内に動く。したがって、図８の例では、容器３は、引っ張り操作運動の開始時には、依然として非引っ張り操作状態における、その上方端位置にあり、又は、比較的その近くに位置する。
【００５５】
図示の例では、アダプタ３０は、好ましくは、これが回転することができないような仕方で容器３に取り付けられ、このアダプタは、好ましくは、回転可能な連結要素２９を備え、この連結要素は、その一部に関し、少なくとも１つの、好ましくは、アーム状の作動要素３３を有している。作動要素３３は、直線運動を第１のカウンタ３１、特に第１のカウンタ３１の第１の計数リング３４に伝える。図８には、カウンタ３１の第２の計数リング３５が示されている。２つの計数リング３４，３５の相互結合について図１０を参照して更に説明する。
【００５６】
連結要素２９又は作動要素３３は、適当な案内、特に滑りブロック案内を介して逸らされ、この滑りブロック案内により、容器３の運動方向に対して傾けられている少なくとも１つの案内面３６が表されており、したがって、容器３の直線又は軸方向引っ張り操作運動が、連結要素２９、作動要素３３、及び（又は）、少なくとも第１の計数リング３４の回転運動に変換され、その結果、各々の引っ張り操作行程に関し第１の計数リング３４が更に一刻み分、又は、一カウンタステップだけ回されるようになっている。
【００５７】
図９は、次の引っ張り操作運動中、連結要素２９、又は、少なくとも１つの作動要素３３が第１の計数リング３４に更にどのように嵌まり込み、滑りブロック案内に基づいてどのように回転するかを示している。特に、各々の引っ張り操作に関し、第１の計数リング１が一カウンタステップだけ更に回転するようにする強制案内方式が想定される。
【００５８】
しかしながら、上述したように、引っ張り操作運動に代えて、容器３の噴霧行程を加圧及び噴霧中記録しても良い。記録は、対応の機構体、又は、類似の機構体によって行うことができる。特に、滑りブロック案内又は別の強制型案内は、外方運動を第１の計数リング３４の回転運動に変換する。
【００５９】
滑りブロック案内は、好ましくは、容器３をハウジング部品１８から取り外すことができず、少なくとも、必要な場合、アトマイザ１を用いた場合、引っ張り操作、及び、噴霧行程について、少なくとも本質的に行程様方式で動くことができるような仕方で設計されている。
【００６０】
図１０の略図は、第１の計数リング３４と第２の計数リング３５との間の考えられる結合を示している。図示の例では、第１のカウンタ３１は、運搬アーム３７を有し、この運搬アームは、第１の計数リング３４により第１のカウンタと共に支持され、運搬アームが或る特定の計数位置に達すると、その前端が第２の計数リング３５の前端に嵌まるような仕方又は別のやり方で傾斜面３８、及び、例えば、ハウジング側部に設けられた作動ノーズ３９を介して逸らされる。次に、第２の計数リング３５を一刻み分、又は、一カウンタステップだけ第１の計数リング３４と一緒に更に回転させる。次に、第２の計数リングを結合解除して第１の計数リング３４が、これと共に、第２の計数リング３５を回転させないで、規定された数のカウンタステップを計数することができるようになっている。
【００６１】
計数リング３４，３５の意図しない回転を防止するため、図示していないキャッチ、戻止め爪等を設けるのが良い。具体的に言えば、第１のカウンタ３１、及び、第２のカウンタ３２の設計に関する実現可能性及びそれ以上の検討事項に関し、独国特許出願公開第１００６１７２３号明細書も又参照されたい。
【００６２】
好ましくは、計数リング３４，３５に施された番号、又は、他の記号及びハウジング部品１８に設けられている、割り当てられているが明示されていない窓等が、表示装置４０を構成する。
【００６３】
第１カウンタ３１は、作動回数計数のために用いられる。第１のカウンタは、好ましくは、ユーザによりリセットでき、又は、設定でき、若しくは、調節できる。さらに適切に言えば、第１のカウンタ３１は、あらかじめ設定された状態で調達される。
【００６４】
特に好ましくは、第１のカウンタ３１は、最初の使用時点で、所与の数の行程（引っ張り操作運動、及び、引っ張り解除運動）を実施してアトマイザ１、特に送出管９、圧力チャンバ１１等を最初の使用前に流体２で完全に満たすようにあらかじめ設定される。これらいわゆるプライミング（priming）行程は、好ましくは、カウンタ３１によっては計数されず、又は、表示装置４０によって指示されない。
【００６５】
必要ならば、第１のカウンタ３１、又は、表示装置４０は、既に実行された（特にプライミング行程無しに）アトマイザ１の作動回数、又は、依然として利用できるアトマイザ１の作動回数がユーザに表示されるような仕方で設計されるのが良い。
【００６６】
カウンタ装置２３又は少なくとも第１のカウンタ３１は、好ましくは、アトマイザ１が、アトマイザ１の或る特定の作動回数に達し又はこれを超えた場合、それ以上の作動ができず、しかも、（或いは）、現在の容器３の取り出し、又は、新品の容器３の挿入ができないようにロックされるような仕方で設計されている。このような条件下において、かくして、現在の容器３に関するそれ以上の作動が許容されるべきではない場合におけるロックは、短くして「第１のロック状態」と呼ばれる。
【００６７】
第１のロック状態におけるロックのため、提案されたアトマイザ１は、好ましくは、作動ロックを有する。図７及び図７の一部の拡大図である図１１は、好ましい実施形態を示している。作動ロックは、図示のロック解除状態では、駆動ばね７の張力を解除するロック要素８の手動作動、かくして、加圧及び噴霧行程のトリガを制止しないロック部品４１を有している。さらに正確に言えば、この状態では、ユーザは、アトマイザ１の好ましくはキー形状のロック要素８を特に容器３の長手方向又は運動軸線に対して斜めに押すのが良く、この場合、ロック要素８と反対の側に位置する円形区分に設けられた突出部又は延長部４２が、ロック部品４１の対応関係にある凹部４３に嵌まり込む。
【００６８】
ロック部品４１は、図示の例ではばね４４によって下方に、あらかじめ張力が加えられており、このロック部品は、制御部品４５によって案内され、この制御部品は、ハウジング部品１８内で長手方向に、又は、軸方向に活動可能であり、突出部４２が凹部４３に嵌まり込むことができる図７及び図１１に示す位置にあって非制止又はロック状態でばね４４の力に抗して保持される。
【００６９】
制御品４５は、許容作動回数に達し、又は、これを超えた場合、制御部品４５が軸方向下方運動可能に解除される第１のロック状態になるような仕方で第１のカウンタ３１、特に第２の計数リング３５に係合している。ばね４４の力の結果として、ロック部品４１は、これに対応して軸方向に、即ち、図示の例では、下方に（図１２参照）変位され、このロック状態では、突出部４２を備えたロック部品４１は、もはや凹部４３に嵌まり込むことができないようになる。これにより、ロック要素８の作動が制止され、かくして、駆動ばね７又はホルダ６のロック解除が阻止される。したがって、アトマイザ１は、もしこれが規定された許容作動回数に達し又はこれを超えた場合、引っ張り操作状態で制止される。
【００７０】
次に、ハウジング部品１８を容器３と一緒に、ハウジング上側部品１６から取り外して交換することができる。特に好ましくは、容器３だけをカウンタ装置２３又は少なくとも第１のカウンタ３と一緒に取り替え可能であり、又は、交換可能である。図示の例では、これは、少なくとも第１のカウンタ３１がハウジング部品１８内に、好ましくは、取り外すことができない仕方で、特に、ハウジング部品１８の前方の又は遠くの端領域内に配置されていることにより達成される。さらに、容器３は、好ましくは、ハウジング部品１８又は第１のカウンタ３１から取り外すことができない。
【００７１】
図３及び図６は、ロック部品４１をハウジング上側部品１８上の押し下げ及びロック状態で示している。新品の満杯の容器３及び新品の第１のカウンタ３１と共に新品のハウジング部品１８を完全に取り付けた後でのみ、ロック部品４１は、ばねの力に抗して図７及び図１１に示すようなロック解除上方位置に再び変位される。この状態でのみ、アトマイザ１、特にロック要素８を再び作動することができ、かくして、アトマイザ１は、張力を解除させ、アトマイザ１をもう１度使用することができる。
【００７２】
図１３に示されたハウジング部品１８が設けられていないアトマイザ１の略図は、制御部品４５と第１のカウンタ３１又は第２の計数リング３５との考えられる結合を示している。図１２に示すロック部品４５の一部分４６は、その前側、又は、クラウンのところが、又は、軸方向に第２の計数リング３５に載っている。許容作動回数に達し、又は、これを超えると、例えば、傾斜路の形をした凹部４７が第２の計数リング３５に形成されていてロック部品４５が図１３に示す回転位置で凹部４７内の第２の計数リング３５に係合し、それにより軸方向下方に変位されるようになっているので作動ロックが起こる。したがって、次に、ロック部品４１は、下方に変位して図１２に示すロック要素８のロック位置に至る。
【００７３】
自明なこととして、作動ロックを形成するため、他の設計上の解決策も又可能である。さらに、図示の作動ロックは、図示のカウンタ装置２３とは別個独立に、特に、他のアトマイザ、ディスペンサ又は投与装置についても実現できる。
【００７４】
代替的に、又は、追加的に、流体抜き出し、流体運搬、加圧、及び（又は）、噴霧のため、又は、一回転方向における駆動ばね７の引っ張りのために回転可能なハウジング部品１８を、引っ張り操作のための回転ができないように第１のロック状態でロック可能である。
【００７５】
しかしながら、アトマイザ１を単一の容器３と共に用いることも可能である。この場合、ハウジング上側部品１６への最初の完全な取り付け後、ハウジング部品１８をもはや取り外すことができないことが想定できる。したがって、容器３を交換することができない。かくして、第１のカウンタ３１の交換も又、不要である。さらに、第２のカウンタ３２を無しで済ますこともできる。
【００７６】
図１４は、提案されているアトマイザ１を図７と比較して９０°回転させた概略断面図で示している。第２のカウンタ３２は、ここでは概略的に示されている。図示の例では、第２のカウンタ３２は、好ましくは、割り当てられたライダ４９を備えたねじ山付きスピンドル４８を有している。ねじ山付きスピンドル４８は、好ましくは、第１のカウンタ３１によって駆動でき又は回転でき、したがって、ライダ４９が計数された作動回数に従ってねじ山付きスピンドル４８に沿って変位するようになっている。この場合、ライダ４９の位置は、カウンタの値の尺度を表す。
【００７７】
基本的に、第２のカウンタ３２は、実行された、又は、依然として可能なアトマイザ１の全作動回数、（かくして、数個の容器３と共に）、計数することができる。各々の容器３では、或る特定の作動回数しか許容されず、上述の作動ロックに基づいて、規定された作動回数にいったん達し、又は、これを超えると、或る特定の作動回数が可能なので、ライダ４９の位置は又、使用され、又は、依然として使用できる容器３の数の尺度である。
【００７８】
基本的に、本発明では、アトマイザ１について既に実行され、又は、残っている全作動回数、又は、使用され、又は、依然として使用できる容器３の個数を用いることができ、同義に理解できる。したがって、各々の場合において、順方向又は逆方向計数が、所望に応じて可能である。
【００７９】
しかしながら、容器の計数、かくして既に用いられ、又は、依然として使用できる容器３の数の計数の場合、第２のカウンタ３２は、特に好ましい設計上の変形例に従って、作動回数計数カウンタ、かくして、第１のカウンタ３４と線形方式では結合されない。さらに正確に言えば、第２のカウンタ２５の容器計数、又は、ねじ山付きスピンドル４８の駆動は、線形ではなく残りの使用可能な作動のほんの幾つか、例えば、現在の容器３の入った状態で最後の１０回の実行可能な作動により、ねじ山付きスピンドルの駆動が行われ、かくして容器計数が行われるようなものである。これは、好ましい非線形の特に、疑似不連続容器計数を可能にするために、カム、又は、他のラッチ止め要素を第１のカウンタ３４に適切に設けることにより達成できる。しかしながら、他の解決策も又、この場合可能である。例えば、容器計数は新たに挿入された容器３のまさに使用開始時に行われるのが良い。
【００８０】
オプションとしての第２のカウンタ３５は、好ましくは、第１のカウンタ３４によって駆動される。しかしながら、基本的には、容器計数を作動回数計数とは完全に別個独立に実行することも可能である。この場合、第２のカウンタ３５は、好ましくは、例えば容器３を挿入し、容器３のフロアが穿刺され、ハウジング部品１８を取り付けることなどを行ったときに、第１のカウンタ３４とは完全に別個独立に駆動され、又は、作動される。
【００８１】
第２のカウンタ３５は、好ましくは、取り外せないやり方でアトマイザ１又はハウジング上側部品１６上に配置される。特に好ましくは、両方のカウンタ３４，３５は、互いに分離可能であり、この場合、作動回数計数に関し、第１のカウンタ３４をそれぞれ容器３と交換することができ、又は、これ以上説明していない変形例に従って、リセットすることができる。後者の場合、ハウジング部品１８を取り外し、容器３を交換することにより第１のロック状態を解除することができ、そして第１のカウンタ３４を例えば初期設定値にリセットすることができる。この場合、容器３は、交換を可能にするため、第１のカウンタ３４から、又、好ましくは、ハウジング部品１８から取り外し可能である。
【００８２】
ハウジング上側部品１６への、又は、取り外せない仕方でのアトマイザ１への第２のカウンタ３５の好ましい取り付けにより、アトマイザ１の既に実行された全作動回数、若しくは、依然として可能な作動回数、及び（又は）、使用された容器３の個数、若しくは、依然として使用できる容器３の個数（容器３、ハウジング部品１８等を交換する場合を含む）は、利用可能なままであり、特に、ユーザによって作動できないようになる。
【００８３】
カウンタ装置２３、又は、第２のカウンタ３２は、好ましくは、アトマイザ１が、使用された容器３の或る特定の個数、及び、必要ならば、現在の容器３の入ったアトマイザ１の或る特定の作動回数に達し、又は、これを超えた場合、それ以上の作動ができず、しかも（或いは）、現在の容器３の取り出し、又は、新品の容器３の挿入ができないようにロックされるよう設計されている。これらの条件下におけるロックは、短くして「第２のロック状態」と呼ばれる。
【００８４】
上述の説明から理解できることとして、挿入された容器３の或る特定の数に達し、又は、これを超えたかどうかという基準ではなく、依然として使用できる容器３の個数も又評価できる。この場合、ロックは、該当する場合にはこの場合も又、現在の容器３が入った状態のアトマイザ１の規定された許容作動回数に到達し又は、これを超えた後にのみ使用することが可能である容器がそれ以上なければ、起こる。
【００８５】
代替的に、又は、追加的に、数個の容器３の入ったアトマイザ１の全作動回数を、それに応じて使用することができ、上述の説明から理解できる基準として適用できる。
【００８６】
第２のロック状態では、もはや逆にすることができない容器ロック、又は、アトマイザロックが起こる。以下において、アトマイザロックの好ましい実施形態について図１５から図１７を用いて詳細に説明する。
【００８７】
図１５は、第２のカウンタ３５を備えたハウジング上側部品を例示目的のために一部を切除した状態で示す概略側面図であり、この場合、ねじ山付きスピンドル４８及びライダ４９は、隠されている。ハウジング上側部品１６内に、制止要素５０が、特に保持ばねの形態で配置されている。
【００８８】
図１６の切除断面図に示されているように、保持ばねは、ロック解除状態では、内側部品１７に設けられた凹部内に嵌まっており、アトマイザ１を引っ張り操作したときのハウジング上側部品１６に対する内側部品１７の回転は、制止される。特に、図示の非制止状態では、保持ばねは、ハウジング上側部品１６又は内側部品１７に設けられたアンダーカットによって内側部品１７の凹部内に保持される。
【００８９】
図１６は又、軸方向に調節可能なアクチュエータ５１が制止要素５０又は保持ばねに割り当てられ、第２のカウンタ３２又はねじ山付きスピンドル４８まで延びている状態を示している。
【００９０】
アクチュエータ５１は、アトマイザロックのためにライダ４９により軸方向に変位可能であり、図１７の記載では、ライダ４９により軸方向上方に既に変位されている。この変位により、制止要素５０は、ハウジング上側部品１６及び内側部品１７の相対回転を制止する。特に、制止は、図示の例では、軸方向上方に変位させられた保持ばねが跳ね返ってハウジング上側部品に設けられている対応関係の凹部内に嵌まり込み、したがって第２のロック状態における、好ましくは、解除できない制止、又は、ロックが生じることにより起こる。
【００９１】
第２のロック状態は、アトマイザ１がその許容使用期間を超えて使用されるのを阻止する。好ましくは、第２のロック状態では、アトマイザ１又はその駆動ばね７を引っ張り操作するための内側部品１７及びかくしてハウジング部品１８の回転が制止される。
【００９２】
代替的に又は追加的に、第１又は第２のロック状態では、アトマイザ１からのハウジング部品１８の取り外し、及び（又は）、ロック要素８の作動、若しくは、アトマイザ１の他の作動も又、ロックされても良い。
【００９３】
第１の実施形態では、第２のカウンタ３２は、カウンタの値又はライダ４９の位置の表示手段を備えていない。しかしながら、これが必要ならば、何の問題もなくこれを達成できる。
【００９４】
以下において、提案されているアトマイザ１の更に好ましい実施形態を詳細に説明するが、この場合、図１及び図２のアトマイザ１と比較すると共に第１の実施形態としてのアトマイザ１と比較した場合の本質的な差異のみを強調する。したがって、これまでの説明は、それに応じて又は追加的に当て嵌まる。
【００９５】
図１８は、第２の実施形態として提案されたアトマイザ１の略図である。ハウジング部品１８は、説明の目的上、透けて見える状態で示されている。第２の実施形態では、カウンタ装置２３も又想定され、特に、少なくとも第１のカウンタ３１を備えた状態でハウジング部品１８内又はアトマイザ１の別の取り外し可能なハウジング部品上に配置される。
【００９６】
第２の実施形態では、ハウジング部品は、アトマイザ１又は駆動ばね７を解除方向に引っ張り操作するために回転方向又は逆の方向に回転可能な軸方向取り外し手段（又、好ましくは、容器３の軸方向取り外し手段）のためである。特に、解除方向における回転は、アトマイザ１が引っ張り操作されている状態でのみ可能である。アトマイザ１の回転軸線（長手方向軸線）、又は、容器３の運動方向に対して傾斜した滑り面５２，５３が、ハウジング部品１８上、及び（又は）、アトマイザ１上に配置され又は形成されている。ハウジング部品１８を傾斜した平面の原理に従って解除方向に回転させると、アトマイザ１又はハウジング上側部品１６からのハウジング部品１８、及び、好ましくは、容器３の軸方向解除が起こる。したがって、解除は、実質的に単純化される。
【００９７】
図示の例では、滑り面５２は、ハウジング部品１８の斜めに切断された端部によって形成されている。相補する傾斜滑り面５３は、アダプタ５４によって形成され、このアダプタは、ハウジング部品１８をアトマイザ１から取り外しても、ハウジング上側部品１６、又は、内側部品１７に取り付けられたままである。軸方向取り外しのため、ハウジング部品１８も又、アダプタ５４に対して回転させることができ、それにより、アダプタ５４から軸方向に強制的に戻すことができる。
【００９８】
ハウジング部品１８をアトマイザ１又はハウジング上側部品１６から取り外している間、又は、その目的のため、図１８には示されていない保持要素１９を、好ましくは、手動で作動し、又は、押し下げる必要がある。
【００９９】
傾斜した平面の原理、又は、解除方向、及び、かくして、引っ張り操作方向とは逆の回転によるハウジング部品１８、及び、好ましくは、容器３の上述した軸方向取り外しは又、必要ならば、かかるアトマイザ１、又は、他のアトマイザ、ディスペンサ、投与装置等内の提案された計数又はカウンタ装置２３とは別個独立に実施できる。
【０１００】
図１９は、第３の実施形態として提案されたアトマイザ１を示している。ハウジング部品１８は、説明の目的上、透けて見える状態で示されている。
【０１０１】
第３の実施形態では、流体２の噴霧は、好ましくは、第１の実施形態及び第２の実施形態の場合と同様、駆動ばね７の力によってのみ起こる。しかしながら、第１の実施形態又は第２の実施形態とは対照的に、第３の実施形態の駆動ばね７は、取り外し可能なハウジング部品１８内に配置され、したがって、ハウジング部品１８と共に、アトマイザ１、又は、ハウジング上側部品１６から取り外し可能である。
【０１０２】
図２０は、駆動ばね７及び容器３が好ましい運搬状態で、即ち、ハウジング上側部品１６から分離された状態で、特に、図４の第１の実施形態としての保護キャップ２４が取り付けられた状態のハウジング部品１８の概略断面図である。容器３のためのビーカ状の受座５６が、好ましくは、ハウジング部品１８内に配置されている。図示の例では、駆動ばね７は、一方の側が受座５６により支持され、他方の側が、図示の例では、ハウジング部品１８のフロアによって支持されている。ばね２０及び穿刺要素２２は、第３の実施形態では、少なくとも本質的に図１及び図２の設計に一致している。
【０１０３】
運搬状態では、駆動ばね７は、引っ張り操作されていない。保護キャップ２４の取り外しに続き、ハウジング部品１８をハウジング上側部品１６に取り付け、又は、スライドオンさせるのが良く、この場合、容器３は、第１の実施形態、及び、第２の実施形態の場合と同様、送出管９により穿刺され、又は、開けられ、ホルダ６に接触する。図２１の概略断面は、この状態を示しており、かくして、容器３が挿入されて開かれた非引っ張り状態のアトマイザ１を示している。
【０１０４】
第３の実施形態では、ホルダ６は、好ましくは、スリーブのような状態でハウジング上側部品１６の自由端部又は特に送出管９を越えてホルダのための入口開口部まで延長されている。これにより、多くの利点が得られる。
【０１０５】
送出管９は、スリーブ状延長部によって損傷しないように保護される。
【０１０６】
スリーブ状延長部により、容器３は、ホルダ６に結合されるときに良好に案内される。
【０１０７】
スリーブ状延長部は、ハウジング部品１８内の受座５６に適合していて、良好な相互案内が達成される。かくして、特に、引っ張り操作中、考えられる容器３の傾動が少なくとも最小限に抑えられる。
【０１０８】
容器３の挿入に続き、引っ張り操作の際、まず最初に、フロア側での穿刺が、それに応じて容器３を曝気するため、穿刺要素２２により、上述した仕方で行われる。
【０１０９】
第３の実施形態では、カウンタ装置２３、又は、その機能は、好ましくは、少なくとも本質的には、第１の実施形態に一致するよう設計されている。しかしながら、異なる点は、第１の容器３１が、好ましくは、ハウジング部品１８の下端部の領域内に配置されておらず、容器３を収容するためにハウジング１８内でアトマイザ１の中間領域で、又は、ハウジング１８の開口部に隣接して配置されている。ホルダ３及び駆動ばね７は、好ましくは、第１のカウンタ３又は計数リング３４，３５によって同軸に包囲されている。
【０１１０】
計数機能、ロック機能又は制止機能は、好ましくは、第１の実施形態のそれぞれの機能に一致している。しかしながら、カウンタ装置２３は、その２つのカウンタ３１，３２を備えた状態で、オプションとして提供されているに過ぎない。したがって、必要ならば、カウンタ装置２３を無しで済ますことができ、又は、別の仕方で、例えば、図１及び図２を参照して説明した実施形態の場合のように提供できる。
【０１１１】
第３の実施形態に従って駆動ばね７を取り外し可能なハウジング部品１８内に配置した場合の特定の利点は、容器の各々の交換の際に駆動ばね７も又、交換されるということにある。かくして、非常に多くの使用の場合、駆動ばね７の考えられる疲労、及び、かくして、規定されていない加圧又は噴霧挙動を回避することができる。
【０１１２】
ハウジング部品１８とハウジング上側部品１６とのしっかりとした連結を保証するため、第３の実施形態では、好ましくは、いわゆるツーフィンガオープナ（two-finger opener）、又は、少なくともダブルロックが提供される。図示の例では、ハウジング部品１８を取り外すため、好ましくは、互いに反対側の側に配置された２つのロック解除要素５７を同時に作動させ、特に押し込まなければならない。かくして、ハウジング部品１８のラッチ止め又は保持アーム５８をハウジング部品１８がハウジング上側部品１６上に相互ロック状態で保持される図２１及び図２２に示されたラッチ止め又は保持位置から、図示の例では、弾性的に内方に撓ませることができる。その目的は、相互ロックを解除し、ハウジング部品１８をハウジング上側部品１６から取り外すことができるようにすることにある。図２２は、保持アーム５８によるハウジング部品１８とハウジング上側部品１６の連結状態を示すことを目的とした図２１の一部の拡大図である。
【０１１３】
アトマイザ１は、好ましくは、駆動ばねを弛めた場合にしかハウジング部品１８をハウジング上側部品１６から取り外すことができないように設計されている。これは、駆動ばね７を引っ張り操作してもハウジング部品１８をハウジング上側部品１６から取り外すことができないようにする安全手段となっている。というのは、この場合、ハウジング部品１８を駆動ばね７が弛緩したときに急激に引き離すことができるからである。
【０１１４】
図示の例における取り外し、又は、ロック解除に対するロックのために、少なくとも安全ボルト５９が設けられる。各々の保持アーム５８は、これに割り当てられた安全ボルト５９を有し、したがって、ロック解除状態では、ロック解除要素５７を作動させて保持アーム５８が旋回すると、割り当てられた安全ボルト５９は、ホルダ６のスリーブ状延長部の割り当てられた開口部６０内へ半径方向内方に押し込められる。ハウジング部品１８とハウジング上側部品１６との間の相互ロックを解除するためには、保持アーム５８を大幅に旋回させる共に割り当てられた安全ボルト５９をこれが割り当てられた開口部６０に嵌まり込まなければならないように大幅に半径方向内方に変位させる必要がある。安全ボルト５９のこの半径方向変位は、開口部６０が安全ボルト５９と整列している場合、図２１及び図２２に示す非引っ張り状態でのみ可能である。
【０１１５】
図２３及び図２４は、図２１及び図２２に対応した引っ張り操作状態にあるアトマイザ１の図である。この場合、開口部６０は、下方に変位している。したがって、安全ボルト５９を半径方向内方に変位させることができないが、ロック解除要素５７を作動させると、保持アーム５８の旋回を制止することができる。したがって、アトマイザ１は、この状態では、開くことができず又はロックすることができない。さらに正確に言えば、ハウジング部品１８のロック解除及び取り外しは、アトマイザ１の非引っ張り操作（完全な非引っ張り操作）状態でのみ可能である。
【０１１６】
図２５及び図２６は、第４の実施形態として提案されたアトマイザ１の断面図であり、この場合、ハウジング部品１８は、説明の目的上、透けて見える状態で示されている。
【０１１７】
第４の実施形態は、大部分が第３の実施形態に一致しているが、第４の実施形態では、第１のロック状態におけるロック要素８の作動の制止ではなく、作動の制止が、好ましくは、ハウジング上側部品１６、又は、ハウジング内側部品１７に対するハウジング部品１８の回転のつれ回りによって起こる。
【０１１８】
通常のロック解除状態（図２５）では、ハウジング部品１８は、回転しないよう固定された内側部品１７と結合され、その結果、上述したが、図示されていない歯車を介する内側部品１７の回転により、ホルダ６を駆動ばね７の力に抗して軸方向に動かすことができ、それにより、駆動ばね７を引っ張り操作できるようになっている。第４の実施形態では、回転継手が、特にフェザーキーの形態をした結合要素６１によって生じる。図２５の例では、回転継手を生じさせるため、結合要素６１は、軸方向に、又は、端部が内側部品１７に設けられた凹部内に嵌まり込む。結合要素６１は、好ましくは、ハウジング部品１８に設けられた軸方向溝内で変位可能な仕方で軸方向に案内されてカウンタ装置２３、特に第１のカウンタ３１又は第２の計数リング３５に結合されて軸方向位置が決定される。
【０１１９】
図示の例では、カウンタ３１又は第２の計数リング３５は、隙間６３が割り当てられたリング区分６２を有している。特に、結合要素６１は、リング区分６２上に係合状態で軸方向に支持される。
【０１２０】
隙間６３が結合要素６１又はフェザーキーと整列すると、かくして、第１のロック状態では、結合要素６１は、図２６及び図３０に示すように、特に、その固有の弾性により軸方向に拡張することができ、それにより、内側部品１７の凹部との嵌合状態を解除することができる。かくして、第１のロック状態におけるハウジング部品１８（図示せず）と内側部品１７との間の回転結合は、解除される。その目的は、アトマイザ１を望ましくない作動、即ち、第１のロック状態におけるアトマイザ１又は駆動ばね７の望ましくない引っ張り操作ができないようアトマイザ１をロックすることにある。したがって、この場合、制止ではなく、作動ロックの回転の解除、又は、つれ回りが起こる。
【０１２１】
引っ張り操作状態では、容器３の入ったハウジング部品１８をハウジング上側部品１６から取り外して新品の容器３の入った新品のハウジング部品１８に交換することができる。次に、交換した第１のカウンタ３１をリセットし、ハウジング部品１８と内側部品１７との間の必要な回転結合が作られ、又は、再び作られてアトマイザ１の許容使用回数、又は、容器３からの流体の抜き出しを実施できるようになっている。
【０１２２】
自明なこととして、第１のロック状態における回転結合、及び、結合解除を生じさせ、又は、ロック状態における他のつれ回りのための他の設計上の解決策も可能である。
【０１２３】
図２７ａから図２７ｃは、第４の実施形態の部分部分を示しており、この場合、ハウジング部品１８は、説明の目的上省かれ、ハウジング上側部品１６は、説明の目的上、切除され又はシースルーの状態で示されている。
【０１２４】
容器計数の場合、第５の実施形態におけるカウンタ装置２３、又は、第２のカウンタ３２は、カウンタ要素６４を有し、このカウンタ要素は、割り当てられたピン６５等により、好ましくは軸方向に小刻みに、又は、個々のカウンタステップで変位可能である。現在のカウンタの番号は、ハウジング上側部品１６に設けられた適当な凹部、又は、窓６６を介してユーザに見える。容器の数の表示も又、番号以外の特に色、記号等により実施できる。
【０１２５】
第４の実施形態における第２のカウンタ３２は、好ましくは、第１のカウンタ３１に結合される。
【０１２６】
図示の例では、ピン６５は、第１のカウンタ３１のリング６７、又は、第２の計数リング３５上を滑る。図２７ａは、最終の許容作動前のアトマイザ１、又は、カウンタ装置２３を示している。アトマイザ１の指定された許容作動回数後に、リング６７に設けられた傾斜路６８が、ピン６５の下に係合して図２７ｂに示すような軸方向変位が生じ、この場合、カウンタ要素６４は、一刻み分、又は、一カウンタステップだけ更に変位する。ハウジング部品１８及び第１のカウンタ３１を交換した後においてのみ、ピン６５は、図２７ｃに示すその開始位置に戻り、この場合、カウンタ要素６４は、ラッチ止め（図示せず）等の結果として、その先のカウンタ値、及び、その先の位置を保持する。しかしながら、この場合、他の設計上の解決策も可能である。
【０１２７】
図２８ａ及び図２８ｂは、第２のロック状態にあるアトマイザ１のロックの好ましい設計の略図である。
【０１２８】
図２８ａは、まだロックされていない状態を示している。カウンタ要素６４は、好ましくは半径方向に変位可能な制止要素５０にまだ係合しておらず、又は、これから間隔を置いて位置している。
【０１２９】
第２のロック状態に達した場合、かくして、特に、使用された容器３の或る特定の数及び必要ならば現在の容器３の入ったアトマイザ１の或る特定の作動回数に達し又はこれを超えた場合、カウンタ要素６４は、ピン６５により更に軸方向に、図２８の例では上方に変位され、制止要素５０は、それにより、ロック位置に至る。特に、ボルト状制止要素５０は、対応の滑り勾配のために、半径方向に、特に内方に変位され、ハウジング上側部品１６に対する内側部品１７の回転は、対応の係合により制止される。制止要素５０は、この場合、締め付けボルトとしての役目を果たす。このように、アトマイザ１は、それ以上の引っ張り操作ができないようロックされる。このロックは、好ましくは、可逆的ではない。この場合、アトマイザ１全体を交換する必要がある。
【０１３０】
第３の実施形態及び第４の実施形態では、必要ならば、内側部品１７又はホルダ６のスリーブ状延長部に対するハウジング部品１８の回転によっても直接行われるカウンタ装置２３、特に第１のカウンタ３１の駆動は、対応の係合等により生じ得る。
【０１３１】
図２９は、ロック解除状態における第５の実施形態として提案されたアトマイザ１の部分断面図であり、図３０は、アトマイザ１を第１のロック状態、又は、第２のロック状態で示している。
第２のカウンタ３２は、継手６９、特に噛み合い継手を介して第１のカウンタ３１に結合されている。図２９は、結合状態を示している。図示の例では、第１のカウンタ３１によって駆動可能な底部シャフト７０が、ばね７２の力に抗してリング区分７１によって軸方向に支持されており、シャフト７０は、継手６９を介して駆動状態で第２のカウンタ３２に、特に、第２のカウンタ３２の上側シャフト７３に係合するようになっており、この上側シャフトは、その一部に関し、ハウジング上側部品１６内に設けられた駆動リング７４を回転させる。
【０１３２】
駆動リング７４は、第２のカウンタ３２の計数リングとしての役目を果たすことができる。しかしながら、好ましくは、雌ねじ又は雄ねじにより、この駆動リングは、カウンタ要素６４を軸方向に駆動し、カウンタ要素６４の軸方向位置が窓６６を介して見える第２のカウンタ３２の特に又、色分け、記号等の形態をしたカウンタ値を指示するようになっている。
【０１３３】
さらに、図２９は、第４の実施形態の結合要素６１が回転できないよう固定された状態でハウジング部品１８を内側部品１７に連結し、これがリング区分６２によって軸方向に支持されているので、回転結合可能な第４の実施形態の結合要素６１を示している。
【０１３４】
第１又は第２のロック状態（図３０）では、継手６９が解除され、かくして、第１のカウンタ３１と第２のカウンタ３２との間の駆動連結が、妨げられている。さらに、ハウジング部品１８と内側部品１７との間の回転結合が、解除される。これは、回転リング区分６２，７１内の対応の隙間が、第１のロック状態、又は、第２のロック状態では、結合要素６１又はシャフト７０と整列し、結合要素が内側部品１７に設けられている凹部との軸方向嵌合状態を解除でき、シャフト７０がばね７２の力によりカウンタシャフト７３から軸方向に引っ込み、それにより継手６９を解除することができることによって達成される。
【０１３５】
上述の状態では、容器３及び第１のカウンタ３１を備えたハウジング部品１８を交換することができ（第１のロック状態の場合）、この場合、第１のカウンタ３１と第２のカウンタ３２との間の駆動連結は、再び作られ、かくして、結合が再び作られ、回転連結が結合要素６１を介してハウジング部品１８と内側部品１７との間に再び作られ、したがって、引っ張り操作、又は、作動ロックが解除される。
【０１３６】
上述し又はこれに類似した機能を生じさせる他の設計上の解決策が可能であることは明らかである。
【０１３７】
以下において、図３１から図３３を用いて、第６の実施形態として提案されたアトマイザ１を説明するが、特に、先の実施形態と比較した場合の本質的な差異を強調する。したがって、先に行われた説明は、それに応じて、又は、追加的に当てはまる。
【０１３８】
第６の実施形態では、第１のロック状態、及び（又は）、第２のロック状態では、作動ロック及び好ましくは回転ロックも又想定される。
【０１３９】
オプションとしての回転ロックの場合、図示の例では、カウンタ装置２３、又は、その第２のカウンタ３２は、制止要素５０を作動させ、この制止要素は、特に、保持ばねの形態を取っている。
【０１４０】
カウンタ装置２３又は図示の例では、第２のカウンタ３２のねじ山付きスピンドル４８は、特に歯車状又はピニオン状係合区分７５を備えており、この係合区分７５は、ハウジング上側部品１６の内部に形成された割り当て状態の突出部、カム、ノーズ等（図示せず）によって駆動可能であり、したがって、ねじ山付きスピンドル４８を回転させるために周囲又は軸方向平面７６に沿って内側部品１７に対して動くことができる。特にアトマイザ１又は加圧器５を引っ張り操作するため、図示の例では、好ましくは、１８０°ステップであるハウジング上側部品に対する内側部品１７の回転は、常時同一の回転方向に生じ、したがって、それにより、ねじ山付きスピンドル４８の対応の回転が生じ、かくして、ライダ４９の対応の軸方向運動が生じる。
【０１４１】
特に、対応の許容作動回数、及び（又は）、容器３の特定の個数に達すると、ライダ４９は、例えば、フィンガ７７等により、制止要素５０を図３１に示す位置から上方に変位させることができ、制止要素５０の脚部の半径方向跳ね返りが生じるようになる。次に、脚部は、ハウジング上側部品１６の対応の凹部、溝等に嵌まり込むことができ、それによりアトマイザ１、及び、かくして、ハウジング上側部品１６に対する内側部品１７の回転（それ以上の回転）を制止することができる。このように、回転又はアトマイザロックが、図１５から図１７を用いて上述したように達成される。しかしながら、他の設計も又、可能である。
【０１４２】
第６の実施形態では、アトマイザ１は、作動ロックのためのロック装置７８を有し、このロック装置は、特に好ましくは、以下に詳細に説明するように、強制制御型滑り機構体として設計されている。特に、ロック装置７８は、第１のロック状態、及び（又は）、第２のロック状態では、流体２の運搬、及び（又は）、噴霧をトリガするよう作動されなければならないアトマイザ１のロック要素８をロックする。
【０１４３】
図示の例では、ロック装置７８は、ロック部品４１を有し、このロック部品の軸線は、特に、アトマイザ１の長手方向軸線、回転軸線、又は、運動軸線に平行に動かすことができ、ロック装置７８は、割り当てられた制御部品４５を更に有し、この制御部品の軸線は、アトマイザ１の長手方向軸線に関して、回転軸線に関して、又は、運動軸線に関して周方向に動かすことができる。ロック部品４１は、図３２に指示されるように、この場合制御部品４５によるクランク始動型又は強制的運動を有する。ロック状態では、ロック部品４１は、特に、図３３の概略断面図に示されているように、ロック要素８とハウジング上側部品１６との間に係合する。特に円形のロック要素８は、このロック状態では、ホルダ６に対して半径方向に変位し、その結果、ホルダ６は、流体２を運搬し、流体２を加圧し、又は、流体２を噴霧するために、図３３の外方に向いた運動ができないようロックされる。ロック要素８は、ロック部品４１と反対の側に解除キーを備えており、このロック要素は、このロック状態では、半径方向に変位して加圧、又は、噴霧をトリガすることができず、したがって係止される。
【０１４４】
図３３は、制御部品４５によるクランク始動型案内方式、又は、強制的案内方式を更に示しており、制御部品４５は、好ましくは、ロック部品４１の変位、又は、運動方向に対し斜めにロック部品４１の凹部７９に嵌まり込む。
【０１４５】
図３２は、ロック状態におけるロック装置７８の略図である。ロック部品４１は、好ましくは、内側部品１７内に形成され、軸線に平行に又は長手方向に延びる凹部又は溝８０内で変位可能に案内される。特に、弓形制御部品４５は、その一部に関し、好ましくはこれ又内側部品１７に形成された周方向に延びる凹部又は溝８１内で案内され、この制御部品は、本質的に周方向に運動可能であり、又は、変位可能であり、その詳細が以下に提供される。
【０１４６】
制御部品４５は、図３１及び図３２に示すようにライダ４９の運動領域内に延びるアーム８２を有している。制御部品４５は、半径方向停止部又は突出部８３を更に有している。図３１及び図３２に示すロック解除状態では、制御部品４５は、そのアーム８２と共に、特にその下方位置にあり、突出部８３が運動経路、又は、平面７６の外部に位置決めされるようになっている。
【０１４７】
ライダ４９は、図示のその上方端位置に到達する直前に、アーム８２に係合し、制御要素４５を特にその好ましくは周囲作動方向に対し斜めに、図示の実施形態では、本質的に軸方向又は上方に変位させる。これにより、突出部８３が走行経路又は平面７７内に押し込まれ、内側部品１７をハウジング上側部品１６に対して更に又は次に回転させた場合、ハウジング上側部品の突出部、カム、ノーズ等（図示せず）が突出部８３に係合してこれらを制御部品４５と一緒に、図示の例では、割り当て状態の凹部又は溝８１内の内側部品１７に対して本質的に円周方向に、図３１及び図３２では右側に変位させることができる。この好ましくは、周方向の運動又は変位により、制御部品４５に形成された傾斜平面８４又は別の適当な歯車連結手段を介してロック部品４１の所望のロック運動が生じ、したがって、この場合、少なくとも本質的に軸線に平行なロック部品４１の変位（図２では上方）が生じる。この運動の順序は、ロック部品４１がこの半径方向離脱状態において、特に、ロック要素８とハウジング上側部品１６、又は、別の適当な部品との間に係合して作動又はトリガの所望のロックを達成するような仕方で、ホルダ６を引っ張り状態で係止するためのロック要素８の特に半径方向の離脱に結合される。
【０１４８】
制御部品４５は、図３１及び図３２に示すようなその下方軸方向位置において、好ましくは、弾性的にあらかじめ張力が加えられ、この目的のため、例えば、図３１に示すばねアーム８５を有している。この場合、ライダ４９は、半径方向突出部８２を備えた制御部品４５を、このばねアーム８５の力に抗して、軸方向に、図３１では上方に変位させることができる。
【０１４９】
下方軸方向位置における制御部品４５の予備張力付与は、特に、あらかじめ規定された容器の数、又は、作動回数に達する前に、制御部品４５の望ましくない軸方向変位、及び（又は）、周方向変位を阻止するのに役立つ。
【０１５０】
制御部品４５を下方軸方向位置に固定するため、上方軸方向位置においてしか打ち勝つことができない肩８６を設けるのが良い。この場合、制御部品４５の周方向運動又は変位しか生じることができない。
【０１５１】
制御部品４５の周方向運動では、凹部又は溝８０は、ロック部品４１の凹部７９と一緒に、特に、ロック部品４１が強制的に、且つ、規定された仕方で、特に、クランク始動状態で、ロック位置にこの場合軸方向上方に動かされるようにする案内を形成する。
【０１５２】
作動ロックは、オプションとしての回転ロックと同様、好ましくは、逆にできず、かくして、アトマイザの非可逆的なロックが行われる。これを保証するため、図示の例では、ロック部品４１をロック位置に制止するのが良い。これは、特に、制御部品４５をこれが特にばねアーム８５と対応の凹部８７等の嵌合によりロック部品４１をロック位置に保持する位置に制止することによって行われる。
【０１５３】
第１のロック状態、及び（又は）、第２のロック状態は、アトマイザ１の設計に応じて、逆にすることはできない。
【０１５４】
一般に、提案されたアトマイザ１では、容器３は、好ましくは、アトマイザ１内に挿入でき、即ち、アトマイザ１内に組み込むことができるということが指摘されるべきである。したがって、容器３は、好ましくは、別個のコンポーネントである。しかしながら、容器３は、基本的には、直接アトマイザ１により形成されても良く、又は、アトマイザの一部であっても良く、或いは、アトマイザ１内に違ったやり方で組み込まれても良い。
【０１５５】
上述したように、説明した実施形態の個々の特徴、観点、及び（又は）、原理は、所望に応じて互いに組み合わせ可能であり、又、特に図１及び図２の公知のアトマイザだけでなく、これに類似したアトマイザに利用でき、又は、異なるアトマイザに利用できる。
【０１５６】
脚部取付け型機器等とは異なり、提案されているアトマイザ１は、好ましくは、携帯可能であるように設計されており、特に、携帯型手動操作式器具である。
【０１５７】
しかしながら、本発明の解決策は、本明細書において具体的に説明したアトマイザ１だけではなく、他のアトマイザ又は吸入器、例えば、粉末吸入器、又は、いわゆる計量投与型吸入器にも利用できる。
【０１５８】
好ましくは、流体２は、上述したように液体であり、特に、水性薬剤調合物である。しかしながら、別の薬剤調合物、例えば懸濁液等が用いられても良い。
【０１５９】
設計上の変形例によれば、流体２は、粒子又は粉末を更に含んでも良い。この場合、放出ノズル１２に代えて、別の送出装置、特に、流体２、又は、粉末等をマウスピース１３内に供給する放出開口部（図示せず）、又は、供給チャネル（図示せず）を設けるのが良い。この場合、オプションとしてのエアベント１５は、マウスピース１３を通る十分な吸息、又は、吸入量で空気流を実現可能にするために周囲空気を並列に供給するのに用いられる。
【０１６０】
必要ならば、流体２を推進ガスにより噴霧化しても良い。
【０１６１】
以下に、好ましくは医用流体２の好ましい成分、及び（又は）、調合物が、一覧表示されている。上述したように、これらは、水性又は非水性溶液、混合物、エタノール含有調合物又は溶剤を含んでいない調合物等であるのが良い。好ましくは、流体２は、以下のものを含有することが特に好ましい。
【０１６２】
薬理学的に有効な物質、物質調合物又は物質混合物として、吸入可能な化合物、例えば欧州特許第１，００３，４７８号明細書に開示されている吸入可能な巨大分子が用いられる。好ましくは、吸入分野に利用されている呼吸合併症を治療するための物質、物質調合物又は物質混合物が用いられる。
【０１６３】
抗コリン作動薬、ベータミメティック（betamimetic(s)）、ステロイド、ホスホジエストラーゼ（ＰＤＥ）ＩＶ阻害薬、ＬＴＤ４拮抗薬及びＥＧＦＲキナーゼ阻害薬、抗アレルギー薬、バッカクアルカロイド誘導体、トリプタン、ＣＧＲＰ拮抗薬、ホスホジエステラーゼＶ阻害薬及びかかる有効物質の組合せ、例えば、ベータミメティック＋抗コリン作動薬又はベータミメティック＋抗アレルギー薬から成る群から選択された薬剤が、本発明の関連において特に好ましい。組合せの場合、好ましくは、有効成分のうちの少なくとも１種類は、化学的に結合された水を含む。好ましくは、抗アレルギー薬含有有効物質が、単一の製剤又は組合せ製剤の形態で用いられる。
【０１６４】
本発明の流体又は調合物は、以下に記載する群から選択された薬理学的に有効な物質又はかかる物質の混合物を含有する（追加的に含有する）。
【０１６５】
抗コリン作動薬：
抗コリン作動薬は、好ましくは、チオトロピウム、チオトロピウムブロミド、オキシトロピウムブロミド、フルトロピウムブロミド、イプラトロピウムブロミド、グリコピロニウム塩、トロスピウムクロリド、トルテロジン、２，２−ジフェニルプロピオンアシッドトロペノルエステル−メトブロミド、２，２−ジフェニルプロピオンアシッドスコピンエステル−メトブロミド、２−フルオロ−２，２−ジフェニルアシディックアシッドスコピンエステル−メトブロミド、２−フルオロ−２，２−ジフェニルアシディックアシッドトロペノルエステル−メトブロミド、３，３′，４，４′−テトラフルオロベンジルアシッドスコピンエステル−メトブロミド、３，３′，４，４′−テトラフルオロベンジルアシッドスコピンエステル−メトブロミド、４，４′−ジフルオロベンジルアシッドトロペノルエステル−メトブロミド、４，４′−ジフルオロベンジルアシッドスコピンエステル−メトブロミド、３，３′−ジフルオロベンジルアシッドトロペノルエステル−メトブロミド、３，３′−ジフルオロベンジルアシッドスコピンエステル−メトブロミド、９−ヒドロキシ−フルオレン−９−カルボンアシッドトロペノルエステル−メトブロミド、９−フルオロ−フルオレン−９−カルボンアシッドトロペノルエステル−メトブロミド、９−ヒドロキシ−フルオレン−９−カルボンアシッドスコピンエステル−メトブロミド、９−フルオロ−フルオレン−９−カルボンアシッドスコピンエステル−メトブロミド、９−メチル−フルオレン−９−カルボンアシッドトロペノルエステル−メトブロミド、９−メチル−フルオレン−９−カルボンアシッドスコピンエステル−メトブロミド、ベンジルアシッドシクロプロピルトロピンエステル−メトブロミド、２，２−ジフェニルプロピオンアシッドシクロプロピルトロピンエステル−メトブロミド、９−ヒドロキシ−キサンテン−９−カルボンアシッドシクロプロピルトロピンエステル−メトブロミド、９−メチル−フルオレン−９−カルボンアシッドシクロプロピルトロピンエステル−メトブロミド、９−メチル−キサンテン−９−カルボンアシッドシクロプロピルトロピンエステル−メトブロミド、９−ヒドロキシ−フルオレン−９−カルボンアシッドシクロプロピルトロピンエステル−メトブロミド、４，４′−ジフルオロベンジルアシッドメチルエステルシクロプロピルトロピンエステル−メトブロミド、９−ヒドロキシ−キサンテン−９−カルボンアシッドトロペノルエステル−メトブロミド、９−ヒドロキシ−キサンテン−９−カルボンアシッドスコピンエステル−メトブロミド、９−メチル−キサンテン−９−カルボンアシッドスコピンエステル−メトブロミド、９−メチル−キサンテン−９−カルボンアシッドトロペノルエステル−メトブロミド、９−エチル−キサンテン−９−カルボンアシッドトロペノルエステル−メトブロミド、９−ジフルオロメチル−キサンテン−９−カルボンアシッドトロペノルエステル−メトブロミド、９−ヒドロキシメチル−キサンテン−９−カルボンアシッドスコピンエステル−メトブロミド、並びに、オプションとして、これらのラセミ化合物、エナンチオマー、又は、ジアステレオマーの形態、及び、オプションとして、これらの溶媒化合物、及び（又は）、水和物の形態の中から選択される。
【０１６６】
ベータ−交換神経興奮薬：
ベータ−交換神経興奮薬は、好ましくは、アルブテロール、バンブテロール、ビトルテロール、ブロクサテロール、カルブテロール、クレンブテロール、フェノテロール、ホルモテロール、ヘキソプレナリン、イブテロール、インダカテロール、イソエタリン、イソプレナリン、レボサルブタモル、マブテロール、メルアドリン、メタプロテレノール、オルチプレナリン、ピルブテロール、プロカテロール、レプロテロール、リミテロール、リトドリン、サルメテロール、サルメファモル、ソテレノット、スルホンテロール、チアラミド、テルブタリン、トルブテロール、ＣＨＦ−１０３５、ＨＯＫＵ−８１、ＫＵＬ−１２４８、３−（４−｛６−［２−ヒドロキシ−２−（４−ヒドロキシ−３−ヒドロキシメチル−フェニル）−エチルアミノ］−ヘキシロキシ｝−ブチル）−ベンゾルスルホナミド、５−［２−（５，６−ジエチル−インダン−２−イルアミノ）−１−ヒドロキシ−エチル］−８−ヒドロキシ−１Ｈ−キノリン−２−オン、４−ヒドロキシ−７−［２−｛［２−｛［３−（２−フェニルエトキシ）プロピル］スルホニル｝エチル］−アミノ｝エチル］−２（３Ｈ）−ベンゾチアゾロン、１−（２−フルオロ−４−ヒドロキシフェニル）−２−［４−（１−ベンジミダゾリル）２−メチル−２−ブチルアミノ］エタノール、１−［３−（４−メトキシベンジル−アミノ）−４−ヒドロキシフェニル］−２−［４−（１−ベンジミダゾリル）−２−メチル−２−ブチルアミノ］エタノール、１−［２Ｈ−５−ヒドロキシ−３−オキソ−４Ｈ−１，４−ベンゾキサジン−８−イル］−２−［３−（４−Ｎ，Ｎ−ジメチルアミノフェニル）−２−メチル−２−プロピルアミノ］エタノール、１−［２Ｈ−５−ヒドロキシ−３−オキソ−４Ｈ−１．４−ベンゾキサジン−８−イル］−２−［３−（４−メトキシフェニル）−２−メチル−２−プロピルアミノ］エタノール、１−［２Ｈ−５−ヒドロキシ−３−オキソ−４Ｈ−１．４−ベンゾキサジン−８−イル］−２−［３−（４−ｎ−ブチロキシフェニル）−２−メチル−２−プロピルアミノ］エタノール、１−［２Ｈ−５−ヒドロキシ−３−オキソ−４Ｈ−１．４−ベンゾキサジン８−イル］−２−｛４−［３−（４−メトキシフェニル）−１．２．４−トリアゾル−３−イル］−２−メチル−２−ブチルアミノ｝エタノール、５−ヒドロキシ−８−（１−ヒドロキシ−２−イソプロピルアミノブチル）−２Ｈ−１．４−ベンゾキサジン−３−（４Ｈ）−オン、１−（４−アミノ−３−クロロ−５−トリフルオルメチルフェニル）−２−ター−ブチルアミノ）エタノール及び１−（４−エトキシカルボニルアミノ−３−シアノ−５−フルオロフェニル）−２−（ター−ブチルアミノ）エタノール、並びに、オプションとして、これらのラセミ化合物、エナンチオマー又はジアステレオマーの形態、及び、オプションとして、これらの薬理学的に容認できる酸添加塩、溶媒化合物、及び（又は）、水和物の形態の中から選択される。
【０１６７】
ステロイド：
ステロイドは、好ましくは、プレドニソロン、プレドニソン、ブチキソコルトプロピオネート、ＲＰＲ−１０６５４１、フルニソリド、ベクロメタソン、トリアムシノロン、ブデソニド、フルチカソン、モメタソン、シクレソニド、ロフレポニド、ＳＴ−１２６、デキサメタソン、（Ｓ）−フルオロメチル  ６α，９α−ジフルオロ−１７α−［（２−フラニルカルボニル）オキシ］−１１β−ヒドロキシ−１６α−メチル−３−オキソ−アンドロスタ−１，４−ジエン−１７β−カルボチオネート、（Ｓ）−（２−オキソ−テトラヒドロ−フラン−３Ｓ−イル）  ６α，９α−ジフルオロ−１１β−ヒドロキシ−１６α−メチル−３−オキソ−１７α−プロピオニルオキシ−アンドロスタ−１，４−ジエン−１７β−カルボチオネート及びエチプレドノール−ジクロロアセテート（ＢＮＰ−１６６）、並びに、オプションとして、これらのラセミ化合物、エナンチオマー、又は、ジアステレオマーの形態、及び、オプションとして、これらの塩、かかる塩の誘導体、溶媒化合物、及び（又は）、水和物の形態の中から選択される。
【０１６８】
ＰＤＥＩＶ阻害薬：
ＰＤＥＩＶ阻害薬は、好ましくは、エンプロフィリン、テオフィルリン、ロフルミラスト、アリフロ（チロミラスト）、ＣＰ−３２５，３６６、ＢＹ３４３、Ｄ−４３９６（Ｓｃｈ−３５１５９１）、ＡＷＤ−１２−２８１（ＧＷ−８４２４７０）、Ｎ−（３，５−ジクロロ−１−オキソ−ピリジン−４−イル）−４−ジフルオロメトキシ−３−シクロプロピルメトキシベンザミド、ＮＣＳ−６１３、プマフェンチン、（−）ｐ−［（４ａＲ*，１０ｂＳ*］）−９−エトキシ−１，２，３，４，４ａ，１０ｂ−ヘキサヒドロ−８−メトキシ−２−メチルベンゾ［ｓ］［１，６］ナフチリジン−６−イル］−Ｎ，Ｎ−ジイソプロピルベンザミド、（Ｒ）−（＋）−１−１（４−ブロモベンジル）−４−［３−シクロペンチロキシ］−４−メトキシフェニル］−２−ピロリドン、３−（シクロペンチロキシ−４−メトキシフェニル）−１−（４−Ｎ′−［Ｎ−２−シアノ−Ｓ−メチル−イソチオウレイド］ベンジル）−２−ピロリドン、シス［４−シアノ−４−（３−シクロペンチロキシ−４−メトキシフェニル）シクロヘキサン−カルボン酸］、２−カルボメトキシ−４−シアノ−４−（３−シクロプロピルメトキシ−４−ジフルオロメトキシフェニル）シクロヘキサン−１−オン、シス［４−シアノ−４−（３−シクロプロピル−メトキシ−４−ジフルオロメトキシフェニル）シクロヘキサン−１−オル］、（Ｒ）−（＋）−エチル［４−（３−シクロペンチロキシ−４−メトキシフェニル）ピロリジン−２−イリデン］アセテート、（Ｓ）−（−）−エチル［４−（３−シクロペンチロキシ］−４−メトキシフェニル）ピロリジン−２−イリドン］アセテート、ＣＤＰ８４０、ベイ（Ｂａｙ）−１９８００４、Ｄ−４４１８、ＰＤ−１６８７８７、Ｔ−４４０、Ｔ２５８５、アロフィルリン、アチゾラン、Ｖ−１１２９４Ａ、Ｃ１−１０１８、ＣＤＣ−８０１、ＣＤＣ−３０５２、Ｄ−２２８８８、ＹＭ−５８９９７、Ｚ−１５３７０、９−シクロペンチル−５，６−ジヒドロ−７−エチル−３（２−チエニル）−９Ｈ−ピラゾロ［３，４−ｃ］−１，２，４−トリアゾロ［４，３−ａ］ピリジン及び９−シクロペンチル−５，６−ジヒドロ−７−エチル−３−（ター−ブチル）−９Ｈ−ピラゾロ［３，４−ｃ］−１，２，４−トリアゾロ［４，３−ａ］ピリジン、並びに、オプションとして、これらのラセミ化合物、エナンチオマー、又は、ジアステレオマーの形態、及び、オプションとして、これらの薬理学的に容認できる酸添加塩、溶媒化合物、及び（又は）、水和物の形態の中から選択される。
【０１６９】
ＬＴＤ４拮抗薬：
ＬＴＤ４拮抗薬は、好ましくは、モンテルカスト、１−（（（Ｒ）−（３−（２−（６，７−ジフルオロ−２−キノリニル）エテニル）フェニル）−３−（２−（２−ヒドロキシ−２−プロピル）フェニル）チオ）メチルシクロプロパン−酢酸、１−（（（１（Ｒ）−３（３−（２−（２，３−ジクロロチエノ［３，２−ｂ］ピリジン−５−イル）−（Ｅ）エテニル）フェニル）−３−（２−（１−ヒドロキシ−１−メチレチル）フェニル）プロピル）チオ）メチル）シクロプロパン−酢酸、プランルカスト、ザフィルルカスト、［２−［［２−（４−ター−ブチル−２−チアゾリル）−５−ベンゾフラニル］オキシメチル］フェニル］酢酸、ＭＣＣ−８４７（ＺＤ−３５２３）、ＭＮ−００１、ＭＥＮ−９０５０７（ＬＭ−１５０７）、ＶＵＦ−５０７８、ＶＵＦ−Ｋ−８７０７及びＬ−７３３３２１、並びに、オプションとして、これらのラセミ化合物、エナンチオマー又はジアステレオマーの形態、及び、オプションとして、これらの薬理学的に容認できる酸添加塩、溶媒化合物、及び（又は）、水和物の形態の中から選択される。
【０１７０】
ＥＧＦＲキナーゼ阻害薬：
ＥＧＦＲキナーゼ阻害薬は、好ましくは、セツキマブ（cetuximab ）、トラスツズマブ（trastuzumab ）、ＡＢＸ−ＥＧＦ、マブ（Mab ）ＩＣＲ−６２、４−［（３−クロロ−４−フルオロフェニル）アミノ］−６−｛［４−（モルフォニン−４−イル）−１−オキソ−２−ブテン−１−イル］アミノ｝−７−シクロプロピルメトキシ−キナゾリン、４−［（Ｒ）−（１−フェニル−エチル）アミノ］−６−｛［４−（モルフォリン−４−イル）−１−オキソ−２−ブテン−１−イル］アミノ｝−７−シクロペンチロキシ−キナゾリン、４−［（３−クロロ−４−フルオロ−フェニル）アミノ］−６−｛［４−（（Ｒ）−６−メチル−２−オキソ−モルフォリン−４−イル）−１−オキソ−２−ブテン−１−イル］アミノ｝−７−［（Ｓ）−（テトラヒドロフラン−３−イル）オキシ］−キナゾリン、４−［（３−クロロ−４−フルオロ−フェニル）アミノ］−６−［２−（（Ｓ）−６−メチル−２−メチル−２−モルフォリン−４−イル）−エトキシ］−７−メトキシ−キナゾリン、４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル｝アミノ）−７−シクロプロピルメトキシ−キナゾリン、４−［（Ｒ）−（１−フェニル−エチル）アミノ］−６−（｛４−［Ｎ−（テトラヒドロピラン−４−イル）−Ｎ−メチル−アミノ］−１−オキソ−２−ブテン−１−イル｝アミノ）−７−シクロプロピルメトキシ−キナゾリン、４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル｝アミノ）−７−シクロペンチロキシ−キナゾリン、４−［（３−クロロ−４−フルオロフェニル）アミノ］−６−｛［４−（Ｎ，Ｎ−ジメチルアミノ）−１−オキソ−２−ブテン−１−イル］アミノ｝−７−［（Ｒ）−（テトラヒドロフラン−２−イル）メトキシ］−キナゾリン、４−［（３−エチニル−フェニル）アミノ］−６，７−ビス−（２−メトキシ−エトキシ）−キナゾリン、４−［（Ｒ）−（１−フェニル−エチル）アミノ］−６−（４−ヒドロキシ−フェニル）−７Ｈ−ピロロ［２，３−ｄ］ピリミジン、３−シアノ−４−［（３−クロロ−４−フルオロフェニル）アミノ］−６−｛［４−（Ｎ，Ｎ−ジメチルアミノ）−１−オキソ−２−ブテン−１−イル］アミノ｝−７−エトキシ−キノリン、４−［（Ｒ）−（１−フェニル−エチル）アミノ］−６−｛［４−（（Ｒ）−６−メチル−２−オキソ−モルフォリン−４−イル）−１−オキソ−２−ブテン−１−イル］アミノ｝−７−メトキシ−キナゾリン、４−［（３−クロロ−４−フルオロフェニル）アミノ］−６−｛［４−（モルフォリン−４−イル）−１−オキソ−２−ブテン−１−イル］アミノ｝−７−［（テトラヒドロフラン−２−イル）メトキシ］−キナゾリン、４−［（３−エチニル−フェニル）アミノ］−６−｛［４−（５，５−ジメチル−２−オキソ−モルフォリン−４−イル）−１−オキソ−２−ブテン−１−イル］アミノ｝−キナゾリン、４−［（３−クロロ−４−フルオロ−フェニル）アミノ］−６−｛２−［４−（２−オキソ−モルフォリン���４−イル）−ピペリジン−１−イル］−エトキシ｝−７−メトキシ−キナゾリン、４−［（３−クロロ−４−フルオロ−フェニル）アミノ］−６−（トランス−４−アミノ−シクロヘキサン−１−イルオキシ）−７−メトキシ−キナゾリン、４−［（３−クロロ−４−フルオロ−フェニル）アミノ］−６−（トランス−４−メタネスルフォニルアミノ−シクロヘキサン−１−イルオキシ）−７−メトキシ−キナゾリン、４−［（３−クロロ−４−フルオロ−フェニル）アミノ］−６−（テトラヒドロピラン−３−イルオキシ］−７−メトキシ−キナゾリン、４−［（３−クロロ−４−フルオロ−フェニル）アミノ］−６−｛１−［（モルフォリン−４−イル）カルボニル］−ピペリジン−４−イルオキシ｝−７−メトキシ−キナゾリン、４−［（３−クロロ−４−フルオロ−フェニル）アミノ］−６−（ピペリジン−３−イルオキシ）−７−メトキシ−キナゾリン、４−［（３−クロロ−４−フルオロ−フェニル）アミノ］−６−［１−（２−アセチルアミノ−エチル）−ピペリジン−４−イルオキシ］−７−メトキシ−キナゾリン、４−［（３−クロロ−４−フルオロ−フェニル）アミノ］−６−（テトラヒドロピラン−４−イルオキシ）−７−エトキシ−キナゾリン、４−［（３−クロロ−４−フルオロ−フェニル）アミノ］−６−｛トランス−４−［（モルフォリン−４−イル）カルボニルアミノ］−シクロヘキサン−１−イルオキシ｝−７−メトキシ−キナゾリン、４−［（３−クロロ−４−フルオロ−フェニル）アミノ］−６−｛１−［（ピペリジン−１−イル）カルボニル］−ピペリジン−４−イルオキシ｝−７−メトキシ−キナゾリン、４−［（３−クロロ−４−フルオロ−フェニル）アミノ］−６−（シス−４−｛Ｎ−［（モルフォリン−４−イル）カルボニル］−Ｎ−メチル−アミノ｝−シクロヘキサン−１−イルオキシ）−７−メトキシ−キナゾリン、４−［（３−クロロ−４−フルオロ−フェニル）アミノ］−６−（トランス−４−エタンスルホニルアミノ−シクロヘキサン−１−イルオキシ）−７−メトキシ−キナゾリン、４−［（３−クロロ−４−フルオロ−フェニル）アミノ］−６−（１−メタネスルフォニル−ピペリジン−４−イルオキシ）−７−（２−メトキシ−エトキシ）−キナゾリン、４−［（３−クロロ−４−フルオロ−フェニル）アミノ］−６−｛１−（２−メトキシ−アセチル）−ピペリジン−４−イルオキシ］−７−（２−メトキシ−エトキシ）−キナゾリン、４−［（３−エチニル−フェニル）アミノ］−６−（テトラヒドロピラン−４−イルオキシ］−７−メトキシ−キナゾリン、４−［（３−クロロ−４−フルオロ−フェニル）アミノ］−６−（シス−４−｛Ｎ−［（ピペリジン−１−イル）カルボニル］−Ｎ−メチル−アミノ｝−シクロヘキサン−１−イルオキシ）−７−メトキシ−キナゾリン、４−［（３−クロロ−４−フルオロ−フェニル）アミノ］−６−｛シス−４−［（モルフォリン−４−イル）カルボニルアミノ］−シクロヘキサン−１−イルオキシ｝−７−メトキシ−キナゾリン、４−［（３−クロロ−４−フルオロ−フェニル）アミノ］−６−｛１−［２−（２−オキソピロリジン−１−イル）エチル］−ピペリジン−４−イルオキシ｝−７−メトキシ−キナ���リン、４−［（３−エチニル−フェニル）アミノ］−６−（１−アセチル−ピペリジン−４−イルオキシ）−７−メトキシ−キナゾリン、４−［（３−エチニル−フェニル）アミノ］−６−（１−メチル−ピペリジン−４−イルオキシ）−７−メトキシ−キナゾリン、４−［（３−エチニル−フェニル）アミノ］−６−（１−メタネスルフォニル−ピペリジン−４−イルオキシ）−７−メトキシ−キナゾリン、４−［（３−クロロ−４−フルオロ−フェニル）アミノ］−６−（１−メチル−ピペリジン−４−イルオキシ）−７（２−メトキシ−エトキシ）−キナゾリン、４−［（３−エチニル−フェニル）アミノ］−６−｛１−［（モルフォリン−４−イル）カルボニル］−ピペリジン−４−イルオキシ｝−７−メトキシ−キナゾリン、４−［（３−クロロ−４−フルオロ−フェニル）−アミノ］−６−｛１−［Ｎ−メチル−Ｎ−２−メトキシエチル−アミノ］カルボニル］−ピペリジン−４−イルオキシ｝−７−メトキシ−キナゾリン、４−［（３−クロロ−４−フルオロ−フェニル）アミノ］−６−（１−エチル−ピペリジン−４−イルオキシ）−７−メトキシ−キナゾリン、４−［（３−クロロ−４−フルオロ−フェニル）アミノ］−６−［シス−４−（Ｎ−メタネスルフォニル−Ｎ−メチル−アミノ）−シクロヘキサン−１−イルオキシ］−７−メトキシ−キナゾリン、４−［（３−クロロ−４−フルオロ−フェニル）アミノ］−６−［シス−４−（Ｎ−アセチル−Ｎ−メチル−アミノ）−シクロヘキサン−１−イルオキシ］−７−メトキシ−キナゾリン、４−［（３−クロロ−４−フルオロ−フェニル）アミノ］−６−（トランス−４−メチルアミノ−シクロヘキサン−１−イルオキシ）−７−メトキシ−キナゾリン、４−［（３−クロロ−４−フルオロ−フェニル）アミノ］−６−［トランス−４−（Ｎ−メタネスルフォニル−Ｎ−メチル−アミノ）−シクロヘキサン−１−イルオキシ］−７−メトキシ−キナゾリン、４−［（３−クロロ−４−フルオロ−フェニル）アミノ］−６−（トランス−４−ジメチルアミノ−シクロヘキサン−１−イルオキシ）−７−メトキシ−キナゾリン、４−［（３−クロロ−４−フルオロ−フェニル）アミノ］−６−（トランス−４−｛Ｎ−［（モルフォリン−４−イル）カルボニル］−Ｎ−メチル−アミノ｝−シクロヘキサン−１−イルオキシ）−７−メトキシ−キナゾリン、４−［（３−クロロ−４−フルオロ−フェニル）アミノ］−６−［２−（２，２−ジメチル−６−オキソ−モルフォリン−４−イル）−イルオキシ］−７−［（Ｓ）−（テトラヒドロフラン−２−イル）メトキシ］−キナゾリン、４−［（３−クロロ−４−フルオロ−フェニル）アミノ］−６−（１−メタネスルフォニル−ピペリジン−４−イルオキシ）−７−メトキシ−キナゾリン、４−［（３−クロロ−４−フルオロ−フェニル）アミノ］−６−（１−シアノ−ピペリジン−４−イルオキシ）−７−メトキシ−キナゾリン及び４−［（３−クロロ−４−フルオロ−フェニル）アミノ］−６−｛１−［（２−メトキシエチル）カルボニル］−ピペリジン−４−エトキシ｝−７−メトキシ−キナゾリン、並びに、オプションとして、これらのラセミ化合物、エナンチオマー、又は、ジアステレオマーの形態、���び、オプションとして、これらの薬理学的に容認できる酸添加塩、溶媒化合物、及び（又は）、水和物の形態の中から選択される。
【０１７１】
薬理学的に容認できる酸を含む酸添加塩は、例えば、ヒドロクロリド（塩酸塩）、ヒドロブロミド（臭化水素酸塩）、ヒドリオジド（沃化水素酸）、ヒドロスルフェート（重硫酸塩）、ヒドロホスフェート、ヒドロメタンスルホネート、ヒドロニトレート、ヒドロマレアート、ヒドロアセテート、ヒドロベンゾエート、ヒドロシトレート、ヒドロフマレート、ヒドロタルトレート、ヒドロオキサレート、ヒドロスクシネート、ヒドロベンゾエート及びヒドロ−ｐ−トルエンスルホネート、好ましくは、ヒドロクロリド、ヒドロブロミド、ヒドロスルフェート、ヒドロホスフェート、ヒドロフマレート及びヒドロメタンスルホネートである。
【０１７２】
さらに、化合物は、オプションとしてラセミ化合物、エナンチオマー、又は、ジアステレオマーの形態、及び、オプションとして、薬理学的に許容できる酸追加塩、及び、その水和物の形態の抗アレルギー薬、バッカクアルカロイド誘導体、トリプタン、ＣＧＲＰ拮抗薬、ホスホジエステラーゼＶ阻害薬の群から選択されたものであっても良い。
【０１７３】
抗アレルギー薬の例は、クロモグリク酸二ナトリウム、ネドクロミルである。
【０１７４】
アルカロイドの誘導体の例は、ジヒドロエルゴタミン、エルゴタミンである。
【０１７５】
さらに、欧州特許第１，００３，４７８号明細書に開示されているように、吸入可能な巨大分子を薬理学的に有効な物質として使用できる。
【０１７６】
吸入のため、上述した有効成分、及び、これらの塩、エステル、並びに、これら有効成分、塩、付加生成物、エステルの組合せを含む薬剤、薬剤調合物及び混合物を用いることが可能である。
【図面の簡単な説明】
【０１７７】
【図１】非引っ張り操作状態の公知のアトマイザの概略断面図である。
【図２】図１と比較して９０°だけ回転させた引っ張り操作状態の公知のアトマイザの概略断面図である。
【図３】第１の実施形態として提案されたアトマイザを運搬状態で示す概略断面図であり、容器の入った下側ハウジング部品が、アトマイザのハウジング上側部品から分離された状態を示す図である。
【図４】図３の容器が追加の保護キャップを備えた運搬状態にある下側ハウジング部品の概略断面図である。
【図５】下から斜めに見た図３のハウジング上側部品の斜視図である。
【図６】ハウジング部品が部分的に引き戻された状態の図３のアトマイザの概略断面図である。
【図７】ハウジング部品が完全に引き戻された状態の（引っ張り操作状態にある）図３のアトマイザの概略断面図である。
【図８】初期引っ張り操作状態の図７の拡大下側区分の概略断面図である。
【図９】更に引っ張り操作した状態の図８の概略断面図である。
【図１０】アトマイザの計数装置の第１のカウンタを備えると共に透けて見える下側ハウジング部品を備えた図７のアトマイザの下方端部の略図である。
【図１１】図７の一部の拡大図である。
【図１２】図１０のアトマイザの一部を第１のロック状態で示す概略断面図である。
【図１３】下側ハウジング部品が設けられていない図１２のアトマイザの略図である。
【図１４】図７と比較して９０°回転させたアトマイザを計数装置の第２のカウンタ付きで示す概略断面図である。
【図１５】第２のカウンタを備えた図１４のアトマイザのハウジング上側部品の概略側面図である。
【図１６】ロック解除状態にある図１５の第２のカウンタの一部の概略断面図である。
【図１７】図１６に対応した第２のロック状態にある第２のカウンタの断面図である。
【図１８】第２の実施形態として提案されたアトマイザの略図である。
【図１９】組み立て状態にある第３の実施形態として提案されたアトマイザの略図である。
【図２０】運搬状態にある保護キャップ付きの図１９のアトマイザの下側ハウジング部品の概略断面図である。
【図２１】非引っ張り操作状態にある図１９のアトマイザの概略断面図である。
【図２２】図２１の拡大断面図である。
【図２３】引っ張り操作状態にある図１９のアトマイザの概略断面図である。
【図２４】図２３の拡大断面図である。
【図２５】ロック解除状態にある第４の実施形態としてのアトマイザの第１のカウンタの概略断面図である。
【図２６】第１のロック状態にある図２５に対応したアトマイザの断面図である。
【図２７ａ】１つの状態にある図２５のアトマイザの第２のカウンタを含むカウンタ装置の略図である。
【図２７ｂ】別の状態にある図２５のアトマイザの第２のカウンタを含むカウンタ装置の略図である。
【図２７ｃ】別の状態にある図２５のアトマイザの第２のカウンタを含むカウンタ装置の略図である。
【図２８ａ】ロック解除状態及び第２のロック状態にある図２７の第２のカウンタの概略断面図である。
【図２８ｂ】ロック解除状態及び第２のロック状態にある図２７の第２のカウンタの概略断面図である。
【図２９】ロック解除状態にある第５の実施形態として提案されたアトマイザの一部の概略断面図である。
【図３０】第１又は第２のロック状態ある図２９の提案されたアトマイザの概略断面図である。
【図３１】ロック解除状態にある第６の実施形態として提案されたアトマイザの一部の略図である。
【図３２】図３１の提案されたアトマイザの別の図である。
【図３３】第１又は第２のロック状態にある図３１の提案されたアトマイザの概略断面図である。
【符号の説明】
【０１７８】
１  アトマイザ（噴霧器）
２  流体
３  容器
４  袋
５  加圧器
６  ホルダ
７  駆動ばね
８  ロック要素
９  送出管
１０  逆止弁
１１  圧力チャンバ
１２  放出ノズル
１３  マウスピース
１４  エーロゾル
１５  エアベント
１６  上側ハウジング部品
１７  内側部品
１７ａ  内側部品の上側部分
１７ａ  内側部品の上側部分
１８  ハウジング部品（下側部品）
１９  保持要素
２０  ばね（下側ハウジング部品のばね）
２１  容器フロア
２２  穿刺要素
２３  カウンタ装置
２４  保護キャップ
２５  第１のコード付け要素
２６  第２のコード付け要素
２７  シール
２８  隔膜
２９  連結要素
３０  アダプタ
３１  第１のカウンタ
３２  第２のカウンタ
３３  作動要素
３４  第１の計数リング
３５  第２の計数リング
３６  案内面
３７  運搬アーム
３８  傾斜面
３９  作動ノーズ
４０  表示装置
４１  ロック部品
４２  突出部
４３  凹部
４４  ばね
４５  制御部品
４６  区分
４７  凹部
４８  ねじ山付きスピンドル
４９  ライダ
５０  制止要素
５１  アクチュエータ
５２  滑り面
５３  滑り面
５４  アダプタ
５５  ロック部材
５６  受座
５７  ロック解除要素
５８  補助アーム
５９  安全ボルト
６０  開口部
６１  結合要素
６２  リング区分
６３  隙間
６４  カウンタ要素
６５  ピン
６６  窓
６７  リング
６８  傾斜面又は傾斜路
６９  継手
７０  シャフト
７１  リング区分
７２  ばね
７３  上側シャフト
７４  駆動リング
７５  係合区分
７６  円周方向・軸方向平面
７７  フィンガ
７８  ロック装置
７９  凹部
８０  溝
８１  凹部
８２  アーム
８３  突出部
８４  傾斜平面
８５  ばねアーム
８６  肩
８７  凹部
【図１】
2009505703.tif 000003
【図２】
2009505703.tif 000004
【図３】
2009505703.tif 000005
【図４】
2009505703.tif 000006
【図５】
2009505703.tif 000007
【図６】
2009505703.tif 000008
【図７】
2009505703.tif 000009
【図８】
2009505703.tif 000010
【図９】
2009505703.tif 000011
【図１０】
2009505703.tif 000012
【図１１】
2009505703.tif 000013
【図１２】
2009505703.tif 000014
【図１３】
2009505703.tif 000015
【図１４】
2009505703.tif 000016
【図１５】
2009505703.tif 000017
【図１６】
2009505703.tif 000018
【図１７】
2009505703.tif 000019
【図１８】
2009505703.tif 000020
【図１９】
2009505703.tif 000021
【図２０】
2009505703.tif 000022
【図２１】
2009505703.tif 000023
【図２２】
2009505703.tif 000024
【図２３】
2009505703.tif 000025
【図２４】
2009505703.tif 000026
【図２５】
2009505703.tif 000027
【図２６】
2009505703.tif 000028
【図２７ａ】
2009505703.tif 000029
【図２７ｂ】
2009505703.tif 000030
【図２７ｃ】
2009505703.tif 000031
【図２８ａ】
2009505703.tif 000032
【図２８ｂ】
2009505703.tif 000033
【図２９】
2009505703.tif 000034
【図３０】
2009505703.tif 000035
【図３１】
2009505703.tif 000036
【図３２】
2009505703.tif 000037
【図３３】
2009505703.tif 000038
【国際調査報告】
2009505703.tif 000039
2009505703.tif 000040
2009505703.tif 000041
2009505703.tif 000042
2009505703.tif 000043